(57)【特許請求の範囲】
【請求項１】
ワイヤレス通信の方法であって、
複数のコンポーネントキャリア（ＣＣ）を備えるキャリアアグリゲーション（ＣＡ）構成を受信すること、前記ＣＡ構成は、前記複数のＣＣを、第１の制御チャネル制限に関連付けられた第１の組の１つまたは複数のコンポーネントキャリア（ＣＣ）と、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルをモニタすることと、
前記第２の制御チャネル制限に従って前記第２の組の１つまたは複数のＣＣの制御チャネルをモニタすることと
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルをモニタすることは、前記制限されたデータ割振りに関連付けられた仮想巡回冗長検査（ＣＲＣ）に少なくとも部分的に基づいて制御チャネルメッセージを復号することを備え、前記第１の制御チャネル制限および前記第２の制御チャネル制限は、所与の間隔における拡張物理ダウンリンク制御チャネル（ｅＰＤＣＣＨ）送信の数を制限することを備える、方法。
【請求項２】
前記第１の制御チャネル制限もしくは前記第２の制御チャネル制限、またはその両方は、限られた数のアグリゲーションレベル、限られた組の制御情報フォーマット、チャネル状態情報（ＣＳＩ）制限、制御領域制限、ダウンリンク（ＤＬ）送信モード制限もしくはアップリンク（ＵＬ）送信モード制限、またはそれらの任意の組合せをさらに備える、
請求項１に記載の方法。
【請求項３】
前記第１の組の１つまたは複数のＣＣの前記制御チャネルをモニタすることは、前記第１の組のうちの前記複数のＣＣについての第１の数の制御メッセージ候補をブラインド復号することを備え、
前記第２の組の１つまたは複数のＣＣの前記制御チャネルをモニタすることは、前記第２の組のうちの前記複数のＣＣについての第２の数の制御メッセージ候補をブラインド復号することを備え、前記第２の数は、前記第１および第２の制御チャネル制限に少なくとも部分的に基づく、前記第１の数未満である、
請求項１に記載の方法。
【請求項４】
前記第１の組の１つまたは複数のＣＣは、物理ダウンリンク制御チャネル（ＰＤＣＣＨ）構成に関連付けられ、前記第２の組の１つまたは複数のＣＣは、ＰＤＣＣＨ構成または拡張物理ダウンリンク制御チャネル（ｅＰＤＣＣＨ）構成のうちの一方に関連付けられる、
請求項１に記載の方法。
【請求項５】
前記第１の組の１つまたは複数のＣＣおよび前記第２の組の１つまたは複数のＣＣは各々、ｅＰＤＣＣＨを利用するＣＣの数の制限に少なくとも部分的に基づいてグループ化される、
請求項１に記載の方法。
【請求項６】
前記第１の組の１つまたは複数のＣＣの前記制御チャネルをモニタすることに少なくとも部分的に基づいて、制御メッセージを復号することをさらに備え、前記第２の制御チャネル制限は、前記制御メッセージに少なくとも部分的に基づく、
請求項４に記載の方法。
【請求項７】
前記第２の組の１つまたは複数のＣＣの前記制御チャネルをモニタする前に、制御メッセージを復号することをさらに備え、前記第２の制御チャネル制限は、前記制御メッセージに少なくとも部分的に基づく、
請求項４に記載の方法。
【請求項８】
前記第２の制御チャネル制限は、５つより多くのＣＣを備える前記ＣＡ構成に少なくとも部分的に基づく、
請求項１に記載の方法。
【請求項９】
前記ＣＡ構成の、第１の組の１つまたは複数のＣＣ、または第２の組の１つまたは複数のＣＣに関連付けられた複数の制御メッセージを受信することと、
前記複数の制御メッセージからダウンリンク制御情報（ＤＣＩ）を復号すること、ここにおいて、前記ＤＣＩは、物理アップリンク制御チャネル（ＰＵＣＣＨ）フォーマットインジケーションを備える、と、
前記ＰＵＣＣＨフォーマットインジケーションに従って、前記第１の組の１つまたは複数のＣＣまたは第２の組の１つ複数のＣＣのうちの前記複数のＣＣのうちの少なくとも１つに対応する制御メッセージを送信することと
をさらに備える、請求項１に記載の方法。
【請求項１０】
前記ＰＵＣＣＨフォーマットインジケーションは、５つより多くのＣＣを備える前記ＣＡ構成に少なくとも部分的に基づく、
請求項９に記載の方法。
【請求項１１】
ワイヤレス通信の方法であって、
複数のコンポーネントキャリア（ＣＣ）を備えるキャリアアグリゲーション（ＣＡ）構成でワイヤレスデバイスを構成すること、前記ＣＡ構成は、複数のＣＣを、第１の制御チャネル制限に関連付けられた第１の組の１つまたは複数のＣＣと、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルを送信することと、
前記第２の制御チャネル制限に従って前記第２の組の１つまたは複数のＣＣの制御チャネルを送信することと
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルを送信することは、前記制限されたデータ割振りに関連付けられた仮想巡回冗長検査（ＣＲＣ）に少なくとも部分的に基づく制御チャネルメッセージをコーディングすることを備え、前記第１の制御チャネル制限および前記第２の制御チャネル制限は、所与の間隔における拡張物理ダウンリンク制御チャネル（ｅＰＤＣＣＨ）送信の数を制限することを備える、方法。
【請求項１２】
前記第１の制御チャネル制限もしくは前記第２の制御チャネル制限、またはその両方は、限られた数のアグリゲーションレベル、限られた組の制御情報フォーマット、ＣＳＩ制限、制御領域制限、ＤＬ送信モード制限もしくはアップリンク（ＵＬ）送信モード制限、またはそれらの任意の組合せを備える、
請求項１１に記載の方法。
【請求項１３】
前記第１の組の１つまたは複数のＣＣは、ＰＤＣＣＨ構成に関連付けられ、前記第２の組の１つまたは複数のＣＣは、ＰＤＣＣＨ構成またはｅＰＤＣＣＨ構成のうちの一方に関連付けられる、
請求項１１に記載の方法。
【請求項１４】
ワイヤレス通信のための装置であって、
複数のコンポーネントキャリア（ＣＣ）を備えるキャリアアグリゲーション（ＣＡ）構成を受信するための手段、前記ＣＡ構成は、前記複数のＣＣを、第１の制御チャネル制限に関連付けられた第１の組の１つまたは複数のＣＣと、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルをモニタするための手段と、
前記第２の制御チャネル制限に従って前記第２の組の１つまたは複数のＣＣの制御チャネルをモニタするための手段と
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルをモニタするための手段は、前記制限されたデータ割振りに関連付けられた仮想巡回冗長検査（ＣＲＣ）に少なくとも部分的に基づいて制御チャネルメッセージを復号するための手段を備え、前記第１の制御チャネル制限および前記第２の制御チャネル制限は、所与の間隔における拡張物理ダウンリンク制御チャネル（ｅＰＤＣＣＨ）送信の数を制限することを備える、装置。
【請求項１５】
ワイヤレス通信のための装置であって、
複数のコンポーネントキャリア（ＣＣ）を備えるＣＡ構成でワイヤレスデバイスを構成するための手段、前記ＣＡ構成は、前記複数のＣＣを、第１の制御チャネル制限に関連付けられた第１の組の１つまたは複数のＣＣと、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルを送信するための手段と、
前記第２の制御チャネル制限に従って前記第２の組の１つまたは複数のＣＣの制御チャネルを送信するための手段と
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルを送信するための手段は、前記制限されたデータ割振りに関連付けられた仮想巡回冗長検査（ＣＲＣ）に少なくとも部分的に基づいて制御チャネルメッセージをコーディングするための手段を備え、前記第１の制御チャネル制限および前記第２の制御チャネル制限は、所与の間隔における拡張物理ダウンリンク制御チャネル（ｅＰＤＣＣＨ）送信の数を制限することを備える、装置。
【発明の詳細な説明】
【相互参照】
【０００１】
[0001]本特許出願は、各々が本出願の譲受人に譲渡された、２０１５年４月２日に出願された「Ｒｅｄｕｃｉｎｇ  Ｂｌｉｎｄ  Ｄｅｃｏｄｉｎｇ  Ｉｎ  Ｅｎｈａｎｃｅｄ  Ｃａｒｒｉｅｒ  Ａｇｇｒｅｇａｔｉｏｎ」と題する、Ｃｈｅｎらによる米国仮特許出願第６２／１４２，３７８号、および２０１６年３月３１日に出願された「Ｒｅｄｕｃｉｎｇ  Ｂｌｉｎｄ  Ｄｅｃｏｄｉｎｇ  Ｉｎ  Ｅｎｈａｎｃｅｄ  Ｃａｒｒｉｅｒ  Ａｇｇｒｅｇａｔｉｏｎ」と題する、Ｃｈｅｎらによる米国特許出願第１５／０８７，５２０号の優先権を主張する。
【背景技術】
【０００２】
[0002]以下は、一般に、ワイヤレス通信に関し、より詳細には、拡張キャリアアグリゲーションにおけるブラインド復号の低減に関する。
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することにより、複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。ワイヤレス多元接続通信システムは、場合によってはユーザ機器（ＵＥ）として知られ得る、複数の通信デバイスのための通信を各々が同時にサポートする、いくつかの基地局を含み得る。
【０００４】
[0004]いくつかの場合には、ワイヤレスネットワークは、ＵＥと通信するために複数のキャリアを利用し得、各キャリアは、制御チャネルで構成され得る。ＵＥは、いくつかの復号候補をブラインド復号することによって各制御チャネルをモニタし得る。キャリアの数が増加するにつれて、制御チャネルの数、およびしたがってブラインド復号の試行の数が増加する可能性がある。これは、通信の中断を引き起こす可能性のある、制御チャネルメッセージの欠落の数を増加させる可能性がある。
【発明の概要】
【０００５】
[0005]ユーザ機器（ＵＥ）は、多数のコンポーネントキャリア（ＣＣ）を含むキャリアアグリゲーション（ＣＡ）構成で構成され得る。ＣＣのうちのいくつかは、ベースＣＣとして指定され、フレキシブルな制御チャネル構成を有し得、他のＣＣは、制限付き制御チャネル構成を有する補足ＣＣとして指定され得る。制限付き制御チャネルは、複雑さを低減し、制御チャネルを正常に復号する可能性を増加させ得る、低減した数の復号候補を有し得る。たとえば、制限付き制御チャネルは、アグリゲーションレベルのサブセット、低減された制御領域、または他の制限に限定され得る。いくつかの場合には、ＣＣは、物理アップリンク制御チャネル（ＰＵＣＣＨ）グループに基づいて、または拡張ＰＤＣＣＨ（ｅＰＤＣＣＨ）を利用するＣＣに基づいて、ベースＣＣおよび補足ＣＣにグループ化され得る。
【０００６】
[0006]ワイヤレス通信の方法について説明する。この方法は、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成を受信することと、ここにおいて、第１の制御チャネル制限もしくは第２の制御チャネル制限、またはその両方は、復号候補制限を備える、第１の制御チャネル制限に従って１つまたは複数の第１のＣＣの制御チャネルをモニタすることと、第２の制御チャネル制限に従って１つまたは複数の第２のＣＣの制御チャネルをモニタすることとを含み得る。
【０００７】
[0007]ワイヤレス通信のための装置について説明する。この装置は、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成を受信するための手段と、ここにおいて、第１の制御チャネル制限もしくは第２の制御チャネル制限、またはその両方は、復号候補制限を備える、第１の制御チャネル制限に従って１つまたは複数の第１のＣＣの制御チャネルをモニタするための手段と、第２の制御チャネル制限に従って１つまたは複数の第２のＣＣの制御チャネルをモニタするための手段とを含み得る。
【０００８】
[0008]ワイヤレス通信のためのさらなる装置について説明する。この装置は、プロセッサと、プロセッサと電子通信するメモリと、メモリに記憶され、プロセッサによって実行されると、プロセッサに、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成を受信させ、ここにおいて、第１の制御チャネル制限もしくは第２の制御チャネル制限、またはその両方は、復号候補制限を備える、第１の制御チャネル制限に従って１つまたは複数の第１のＣＣの制御チャネルをモニタさせ、第２の制御チャネル制限に従って１つまたは複数の第２のＣＣの制御チャネルをモニタさせるように動作可能である命令とを含み得る。
【０００９】
[0009]ワイヤレス通信のためのコードを記憶する非一時的コンピュータ可読媒体について説明する。このコードは、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成を受信し、ここにおいて、第１の制御チャネル制限もしくは第２の制御チャネル制限、またはその両方は、復号候補制限を備える、第１の制御チャネル制限に従って１つまたは複数の第１のＣＣの制御チャネルをモニタし、第２の制御チャネル制限に従って１つまたは複数の第２のＣＣの制御チャネルをモニタするために実行可能な命令を含み得る。
【００１０】
[0010]本明細書で説明される方法、装置、または非一時的なコンピュータ可読媒体のいくつかの例では、第１の制御チャネル制限もしくは第２の制御チャネル制限、またはその両方は、限られた数のアグリゲーションレベル、限られた組の制御情報フォーマット、チャネル状態情報（ＣＳＩ）制限、制御領域制限、ダウンリンク（ＤＬ）送信モード制限もしくはアップリンク送信モード制限、またはそれらの任意の組合せを備える。追加または代替として、いくつかの例では、１つまたは複数の第１のＣＣの制御チャネルをモニタすることは、１つまたは複数の第１のＣＣについての第１の数の制御メッセージ候補をブラインド復号することを備え、１つまたは複数の第１のＣＣの制御チャネルをモニタすることは、１つまたは複数の第２のＣＣについての第２の数の制御メッセージ候補をブラインド復号することを備え、第２の数は、第１および第２の制御チャネル制限に少なくとも部分的に基づく、第１の数未満であり得る。
【００１１】
[0011]本明細書で説明される方法、装置、または非一時的なコンピュータ可読媒体のいくつかの例では、１つまたは複数の第１のＣＣは、物理ダウンリンク制御チャネル（ＰＤＣＣＨ）構成に関連付けられ、１つまたは複数の第２のＣＣは、ＰＤＣＣＨ構成または拡張物理ダウンリンク制御チャネル（ｅＰＤＣＣＨ）構成のうちの一方に関連付けられる。追加または代替として、いくつかの例では、１つまたは複数の第１のＣＣおよび第２のＣＣは、いくつかのｅＰＤＣＣＨ  ＣＣの制限に少なくとも部分的に基づいてグループ化される。
【００１２】
[0012]本明細書で説明する方法、装置、または非一時的コンピュータ可読媒体のいくつかの例は、１つまたは複数の第１のＣＣの制御チャネルをモニタすることに少なくとも部分的に基づいて、制御メッセージを復号するためのプロセス、特徴、手段または命令をさらに含み得、ここにおいて、第２の制御チャネル制限は、制御メッセージに少なくとも部分的に基づく。追加または代替として、いくつかの例は、１つまたは複数の第２のＣＣの制御チャネルをモニタする前に、制御メッセージを復号するためのプロセス、特徴、手段、または命令を含み得、第２の制御チャネル制限は、制御メッセージに少なくとも部分的に基づき得る。
【００１３】
[0013]本明細書で説明する方法、装置、または非一時的コンピュータ可読媒体のいくつかの例は、１つまたは複数の第２のＣＣの制御チャネルをモニタすることに少なくとも部分的に基づいて、制御メッセージを復号するためのプロセス、特徴、手段、または命令をさらに含み得、ここにおいて、制御メッセージは、データフィールド内の制限されたデータ割振りに少なくとも部分的に基づく仮想巡回冗長検査（ＣＲＣ）を備える。追加または代替として、いくつかの例では、第２の制御チャネル制限は、５つより多くのＣＣを備えるＣＡ構成に少なくとも部分的に基づく。
【００１４】
[0014]ワイヤレス通信のさらなる方法について説明する。この方法は、ＣＡ構成の複数のＣＣに関連付けられた複数の制御メッセージを受信することと、複数の制御メッセージからＤＣＩを復号することと、ＤＣＩが、ＰＵＣＣＨフォーマットインジケーションを含み得る、ＰＵＣＣＨフォーマットインジケーションに従って複数のＣＣのうちの少なくとも１つに対応する制御メッセージを送信することとを含み得る。
【００１５】
[0015]ワイヤレス通信のためのさらなる装置について説明する。この装置は、ＣＡ構成の複数のＣＣに関連付けられた複数の制御メッセージを受信するための手段と、複数の制御メッセージからＤＣＩを復号するための手段と、ＤＣＩが、ＰＵＣＣＨフォーマットインジケーションを含み得る、ＰＵＣＣＨフォーマットインジケーションに従って複数のＣＣのうちの少なくとも１つに対応する制御メッセージを送信するための手段とを含み得る。
【００１６】
[0016]ワイヤレス通信のためのさらなる装置について説明する。この装置は、プロセッサと、プロセッサと電子通信するメモリと、メモリに記憶され、プロセッサによって実行されると、プロセッサに、ＣＡ構成の複数のＣＣに関連付けられた複数の制御メッセージを受信させ、複数の制御メッセージからＤＣＩを復号させ、ここにおいて、ＤＣＩが、ＰＵＣＣＨフォーマットインジケーションを備える、ＰＵＣＣＨフォーマットインジケーションに従って複数のＣＣのうちの少なくとも１つに対応する制御メッセージを送信させるように動作可能である命令とを含み得る。
【００１７】
[0017]ワイヤレス通信のためのコードを記憶するさらなる非一時的コンピュータ可読媒体について説明する。このコードは、ＣＡ構成の複数のＣＣに関連付けられた複数の制御メッセージを受信し、複数の制御メッセージからＤＣＩを復号し、ここにおいて、ＤＣＩが、ＰＵＣＣＨフォーマットインジケーションを備える、ＰＵＣＣＨフォーマットインジケーションに従って複数のＣＣのうちの少なくとも１つに対応する制御メッセージを送信するために実行可能である命令を含み得る。
【００１８】
[0018]本明細書で説明する方法、装置、または非一時的コンピュータ可読媒体のいくつかの例では、ＰＵＣＣＨフォーマットインジケーションは、５つより多くのＣＣを備える複数のＣＣに少なくとも部分的に基づく。
【００１９】
[0019]ワイヤレス通信のさらなる方法について説明する。この方法は、ＣＡ構成の複数のＣＣに関連付けられた複数の制御メッセージを受信することと、複数の制御メッセージに少なくとも部分的に基づいて、複数のＣＣの各々についてのセルインデックスを識別することと、複数のＣＣの最も低いセルインデックスを有するＣＣに少なくとも部分的に基づいてＵＣＩを送信することとを含み得る。
【００２０】
[0020]ワイヤレス通信のためのさらなる装置について説明する。この装置は、ＣＡ構成の複数のＣＣに関連付けられた複数の制御メッセージを受信するための手段と、複数の制御メッセージに少なくとも部分的に基づいて、複数のＣＣの各々についてのセルインデックスを識別するための手段と、複数のＣＣの最も低いセルインデックスを有するＣＣに少なくとも部分的に基づいてＵＣＩを送信するための手段とを含み得る。
【００２１】
[0021]ワイヤレス通信のためのさらなる装置について説明する。この装置は、プロセッサと、プロセッサと電子通信するメモリと、メモリに記憶され、プロセッサによって実行されると、プロセッサに、ＣＡ構成の複数のＣＣに関連付けられた複数の制御メッセージを受信させ、複数の制御メッセージに少なくとも部分的に基づいて、複数のＣＣの各々についてのセルインデックスを識別させ、複数のＣＣの最も低いセルインデックスを有するＣＣに少なくとも部分的に基づいてＵＣＩを送信させるように動作可能である命令とを含み得る。
【００２２】
[0022]ワイヤレス通信のためのコードを記憶するさらなる非一時的コンピュータ可読媒体について説明する。このコードは、ＣＡ構成の複数のＣＣに関連付けられた複数の制御メッセージを受信し、複数の制御メッセージに少なくとも部分的に基づいて、複数のＣＣの各々についてのセルインデックスを識別し、複数のＣＣの最も低いセルインデックスを有するＣＣに少なくとも部分的に基づいてＵＣＩを送信するために実行可能である命令を含み得る。
【００２３】
[0023]本明細書で説明する方法、装置、または非一時的コンピュータ可読媒体のいくつかの例では、ＵＣＩは、物理アップリンク共有チャネル（ＰＵＳＣＨ）リソースを使用して送信される。追加または代替として、いくつかの例は、ＵＣＩを送信するためのプロセス、特徴、手段、または命令が５つより多くのＣＣを備える複数のＣＣに少なくとも部分的に基づき得ることを含み得る。
【００２４】
[0024]ワイヤレス通信のさらなる方法について説明する。この方法は、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成でワイヤレスデバイスを構成することと、ここにおいて、第１の制御チャネル制限もしくは第２の制御チャネル制限、またはその両方は、復号候補制限を備える、第１の制御チャネル制限に従って１つまたは複数の第１のＣＣの制御チャネルを送信することと、第２の制御チャネル制限に従って１つまたは複数の第２のＣＣの制御チャネルを送信することとを含み得る。
【００２５】
[0025]ワイヤレス通信のためのさらなる装置について説明する。この装置は、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成でワイヤレスデバイスを構成するための手段と、ここにおいて、第１の制御チャネル制限もしくは第２の制御チャネル制限、またはその両方は、復号候補制限を備える、第１の制御チャネル制限に従って１つまたは複数の第１のＣＣの制御チャネルを送信するための手段と、第２の制御チャネル制限に従って１つまたは複数の第２のＣＣの制御チャネルを送信するための手段とを含み得る。
【００２６】
[0026]ワイヤレス通信のためのさらなる装置について説明する。この装置は、プロセッサと、プロセッサと電子通信するメモリと、メモリに記憶され、プロセッサによって実行されると、プロセッサに、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成でワイヤレスデバイスを構成させ、ここにおいて、第１の制御チャネル制限もしくは第２の制御チャネル制限、またはその両方は、復号候補制限を備える、第１の制御チャネル制限に従って１つまたは複数の第１のＣＣの制御チャネルを送信させ、第２の制御チャネル制限に従って１つまたは複数の第２のＣＣの制御チャネルを送信させるように動作可能な命令とを含み得る。
【００２７】
[0027]ワイヤレス通信のためのコードを記憶するさらなる非一時的コンピュータ可読媒体について説明する。このコードは、第１の制御チャネル制限に関連付けられた１つまたは複数の第１のＣＣと、第１の制御チャネル制限とは異なる第２の制御チャネル制限に関連付けられた１つまたは複数の第２のＣＣとを備えるＣＡ構成でワイヤレスデバイスを構成し、ここにおいて、第１の制御チャネル制限もしくは第２の制御チャネル制限、またはその両方は、復号候補制限を備える、第１の制御チャネル制限に従って１つまたは複数の第１のＣＣの制御チャネルを送信し、第２の制御チャネル制限に従って１つまたは複数の第２のＣＣの制御チャネルを送信するために実行可能な命令を含み得る。
【００２８】
[0028]本明細書で説明される方法、装置、または非一時的なコンピュータ可読媒体のいくつかの例では、第１の制御チャネル制限もしくは第２の制御チャネル制限、またはその両方は、限られた数のアグリゲーションレベル、限られた組の制御情報フォーマット、ＣＳＩ制限、制御領域制限、ＤＬ送信モード制限もしくはアップリンク送信モード制限送信モード制限、またはそれらの任意の組合せを備える。追加または代替として、いくつかの例では、１つまたは複数の第１のＣＣはＰＤＣＣＨ構成に関連付けられ、１つまたは複数の第２のＣＣはｅＰＤＣＣＨ構成に関連付けられる。
【００２９】
[0029]以下の図を参照しながら本開示の態様について説明する。
【図面の簡単な説明】
【００３０】
【図１】本開示の様々な態様による、拡張キャリアアグリゲーションにおけるブラインド復号の低減をサポートするワイヤレス通信システムの一例を示す図。
【図２】本開示の様々な態様による、拡張キャリアアグリゲーションにおけるブラインド復号の低減をサポートするワイヤレス通信システムの一例を示す図。
【図３Ａ】本開示の様々な態様による、拡張キャリアアグリゲーションにおけるブラインド復号の低減をサポートする物理レイヤリソース構造の一例を示す図。
【図３Ｂ】本開示の様々な態様による、拡張キャリアアグリゲーションにおけるブラインド復号の低減をサポートする復号候補構成の一例を示す図。
【図４】本開示の様々な態様による、拡張キャリアアグリゲーションにおけるブラインド復号の低減をサポートするプロセスフローの一例を示す図。
【図５】本開示の様々な態様による、拡張キャリアアグリゲーションにおけるブラインド復号の低減をサポートするワイヤレスデバイスのブロック図。
【図６】本開示の様々な態様による、拡張キャリアアグリゲーションにおけるブラインド復号の低減をサポートするワイヤレスデバイスのブロック図。
【図７】本開示の様々な態様による、拡張キャリアアグリゲーションにおけるブラインド復号の低減をサポートするワイヤレスデバイスのブロック図。
【図８】本開示の様々な態様による、拡張キャリアアグリゲーションにおけるブラインド復号の低減をサポートするユーザ機器（ＵＥ）を含むシステムのブロック図。
【図９】本開示の様々な態様による、拡張キャリアアグリゲーションにおけるブラインド復号の低減をサポートするワイヤレスデバイスのブロック図。
【図１０】本開示の様々な態様による、拡張キャリアアグリゲーションにおけるブラインド復号の低減をサポートするワイヤレスデバイスのブロック図。
【図１１】本開示の様々な態様による、拡張キャリアアグリゲーションにおけるブラインド復号の低減をサポートするワイヤレスデバイスのブロック図。
【図１２】本開示の様々な態様による、拡張キャリアアグリゲーションにおけるブラインド復号の低減をサポートする基地局を含むシステムのブロック図。
【図１３】本開示の様々な態様による、拡張キャリアアグリゲーションにおけるブラインド復号を低減するための方法を示す図。
【図１４】本開示の様々な態様による、拡張キャリアアグリゲーションにおけるブラインド復号を低減するための方法を示す図。
【図１５】本開示の様々な態様による、拡張キャリアアグリゲーションにおけるブラインド復号を低減するための方法を示す図。
【図１６】本開示の様々な態様による、拡張キャリアアグリゲーションにおけるブラインド復号を低減するための方法を示す図。
【図１７】本開示の様々な態様による、拡張キャリアアグリゲーションにおけるブラインド復号を低減するための方法を示す図。
【図１８】本開示の様々な態様による、拡張キャリアアグリゲーションにおけるブラインド復号を低減するための方法を示す図。
【発明を実施するための形態】
【００３１】
[0040]ＵＥは、多数のコンポーネントキャリア（ＣＣ）を含むキャリアアグリゲーション（ＣＡ）構成で構成され得る。ＣＣのうちのいくつかは、フレキシブルな制御チャネル構成を有するベースＣＣとして指定され、他のＣＣは、制限付き制御チャネル構成を有する補足ＣＣとして指定され得る。制限付き制御チャネルは、復号候補の数が少ない可能性がある。
【００３２】
[0041]本開示の態様は、最初に、ワイヤレス通信システムの文脈で記載される。次いで、制御領域または１組のアグリゲーションレベルが制限され得る様々な例が記載される。本開示のこれらおよび他の態様について、拡張キャリアアグリゲーションにおけるブラインド復号の低減に関連する装置図、システム図およびフローチャートを参照してさらに示し、説明する。
【００３３】
[0042]図１は、本開示の様々な態様による、拡張キャリアアグリゲーションにおけるブラインド復号の低減または低減されたブランド復号をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）／ＬＴＥアドバンスト（ＬＴＥ−ａ）ネットワークであり得る。
【００３４】
[0043]基地局１０５は、１つまたは複数の基地局アンテナを介してＵＥ１１５とワイヤレスに通信することができる。基地局１０５の各々は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。
【００３５】
[0044]ＵＥ１１５は、ワイヤレス通信システム１００全体にわたって分散され得、各ＵＥ１１５は固定またはモバイルであり得る。ＵＥ１１５は、移動局、加入者局、リモートユニット、ワイヤレスデバイス、アクセス端末、ハンドセット、ユーザエージェント、クライアントと呼ばれ、または何らかの他の適切な用語で呼ばれてもよい。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５は、基地局１０５と通信し得、基地局１０５は、本明細書で説明するように、ベースＣＣと補足ＣＣの両方を使用することを含み得る。
【００３６】
[0045]基地局１０５は、コアネットワーク１３０をサポートし、コアネットワーク１３０と互いに通信し得る。たとえば、基地局１０５は、バックホールリンク１３２（たとえば、Ｓ１など）を通して、コアネットワーク１３０とインターフェースし得る。基地局１０５はまた、バックホールリンク１３４（たとえば、Ｘ２など）上で直接または間接的に（たとえば、コアネットワーク１３０を通して）、互いと通信し得る。基地局１０５は、ＵＥ１１５との通信のための無線構成およびスケジューリングを実施し得るか、または基地局コントローラ（図示せず）の制御下で動作し得る。様々な例では、基地局１０５は、マクロセル、スモールセル、ホットスポットなどであってもよい。いくつかの例では、基地局１０５はｅＮｏｄｅＢ（ｅＮＢ）１０５とも呼ばれ得る。
【００３７】
[0046]通信リンク１２５は、キャリアに編成された１つまたは複数の周波数範囲を含み得る。キャリアは、ＣＣ、レイヤ、チャネルなどと呼ばれることもある。「コンポーネントキャリア」という用語は、キャリアアグリゲーション（ＣＡ）動作においてＵＥによって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である、比較的狭い帯域幅のキャリアであり得る。各コンポーネントキャリアは、いくつかの例では、ＬＴＥ規格のリリース８またはリリース９に基づく分離キャリアと同じ能力を与え得る。複数のコンポーネントキャリアは、より大きい帯域幅と、たとえば、より高いデータレートとをいくつかのＵＥ１１５に提供するために、アグリゲートされるか、または同時に利用される場合がある。したがって、個々のコンポーネントキャリアは、従来のＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のコンポーネントキャリアを用いて構成される場合がある。ＤＬに使用されるキャリアはＤＬ  ＣＣと呼ばれる場合があり、ＵＬに使用されるキャリアはＵＬ  ＣＣと呼ばれる場合がある。ＵＥ１１５は、キャリアアグリゲーションのために、複数のＤＬ  ＣＣおよび１つまたは複数のＵＬ  ＣＣを用いて構成される場合がある。各キャリアは、制御情報（たとえば、基準信号、制御チャネルなど）、オーバーヘッド情報、データなどを送信するために使用される場合がある。いくつかのワイヤレスシステムは、ＵＥ１１５当たり５つのコンポーネントキャリアに限定され得る。しかしながら、拡張ＣＡ（ｅＣＡ）動作を利用するシステムなど一部のシステムでは、増加した数のキャリアが使用されてもよい（たとえば、最大３２ＣＣ）。
【００３８】
[0047]いくつかの場合には、ＣＣは２０ＭＨｚまでの周波数範囲に制限され得る。異なるＣＣは、周波数分割複信（ＦＤＤ）と時分割複信（ＴＤＤ）の異なる組合せを利用し得る。場合によっては、ＵＥ１１５は、二重接続動作において非理想バックホールリンク１３４によって接続される２つ以上の基地局１０５からのセルによってサービスされる場合がある。たとえば、サービング基地局１０５の間の接続は、正確なタイミング調整を容易にするには十分ではない場合がある。したがって、いくつかの場合には、ＵＥ１１５をサービスするセルは、複数のタイミング調整グループ（ＴＡＧ）に分割され得る。各ＴＡＧは、ＵＥ１１５が、異なるＵＬキャリアに対して異なるようにＵＬ送信を同期させ得るように、異なるタイミングオフセットに関連付けられ得る。
【００３９】
[0048]ＵＥ１１５は、複数のキャリアを利用して単一の基地局１０５と通信し得、また、異なるキャリア上で同時に複数の基地局と通信し得る。基地局１０５の各セルは、ＵＬコンポーネントキャリア（ＣＣ）とＤＬ  ＣＣとを含み得る。基地局１０５のための各サービングセルのカバレージエリア１１０は異なり得る（たとえば、異なる周波数帯域上のＣＣは、異なる経路損失を経験し得る）。いくつかの例では、あるキャリアは、プライマリセル（ＰＣｅｌｌ）によってサービスされ得るＵＥ１１５のための、プライマリキャリアまたはプライマリコンポーネントキャリア（ＰＣＣ）として指定される。プライマリセルは、ＵＥごとに上位レイヤ（たとえば、無線リソース制御（ＲＲＣ）など）によって半静的に構成され得る。たとえば、物理アップリンク制御チャネル（ＰＵＣＣＨ）など特定のアップリンク制御情報（ＵＣＩ）は、プライマリセルによって搬送され得る。追加のキャリアは、セカンダリセル（ＳＣｅｌｌ）によってサービスされ得る、セカンダリキャリアまたはセカンダリコンポーネントキャリア（ＳＣＣ）として指定される場合がある。セカンダリセルは、同様に、ＵＥごとに半静的に構成される場合がある。場合によっては、セカンダリセルは、プライマリセルと同じ制御情報を含まないか、またはそれを送信するように構成されない場合がある。いくつかの場合には、１つまたは複数のＳＣｅｌｌは、ＰＵＣＣＨを搬送するように指定され、他のＳＣｅｌｌは、関連するＵＬ制御情報を搬送するためにどのＣＣが使用されるかに基づいてＰＵＣＣＨグループに編成され得る。多数のＣＣが構成されている場合、それらは、制御チャネル送信の欠落の可能性を低減するために、制限されたまたは簡略化された制御チャネル構成を有するベースＣＣおよび補足ＣＣにグループ化されてもよい。
【００４０】
[0049]いくつかの場合には、可変ＴＴＩ長を利用し得る拡張ＣＣ（ｅＣＣ）が構成され得る。したがって、ｅＣＣは、低減されたまたは可変のシンボル持続時間の使用を含み得る。いくつかの場合には、シンボル持続時間は同じままであり得るが、各シンボルは異なるＴＴＩを表し得る。いくつかの場合には、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間は、増加されたサブキャリア間隔にも関連し得る。
【００４１】
[0050]フレキシブル帯域幅および可変ＴＴＩが変更制御チャネル構成に関連し得る（たとえば、ｅＣＣは、ＤＬ制御情報のための拡張物理ダウンリンク制御チャネル（ｅＰＤＣＣＨ）を利用し得る）。たとえば、ｅＣＣの１つまたは複数の制御チャネルは、フレキシブルな帯域幅の使用に対応するために、周波数分割多重（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含み得る。ｅＣＣは、変更されたまたは追加のＨＡＲＱ関連制御情報をも含み得る。
【００４２】
[0051]ダウンリンク制御情報は、物理ダウンリンク制御チャネル（ＰＤＣＣＨ）で搬送され得る。ＰＤＣＣＨは、９つの論理的に隣接するリソース要素グループ（ＲＥＧ）からなり得る、制御チャネル要素（ＣＣＥ）中でダウンリンク制御情報（ＤＣＩ）を搬送し得、ここで、各ＲＥＧは４つのリソース要素（ＲＥ）を含んでいる。ＤＣＩは、ＤＬスケジューリング割当て、ＵＬリソース許可、送信スキーム、ＵＬ電力制御、ＨＡＲＱ情報、変調およびコーディングスキーム（ＭＣＳ）に関する情報、ならびに他の情報を含む。ＤＣＩメッセージのサイズおよびフォーマットは、ＤＣＩによって搬送される情報のタイプおよび量に応じて異なり得る。たとえば、空間多重化がサポートされる場合、ＤＣＩメッセージのサイズは、連続周波数割振りと比較して大きい。同様に、ＭＩＭＯを採用するシステムの場合、ＤＣＩは、追加のシグナリング情報を含まなければならない。ＤＣＩサイズおよびフォーマットは、情報の量、ならびに帯域幅、アンテナポートの数、および複信モードなどのファクタに依存する。
【００４３】
[0052]ＰＤＣＣＨは複数のユーザに関連するＤＣＩメッセージを搬送することができ、各ＵＥ１１５は、それを対象とするＤＣＩメッセージを復号し得る。たとえば、各ＵＥ１１５はセル無線ネットワークテンポラリ識別情報（Ｃ−ＲＮＴＩ：cell radio network temporary identity）を割り当てられ得、各ＤＣＩにアタッチされた巡回冗長検査（ＣＲＣ）ビットが、Ｃ−ＲＮＴＩに基づいてスクランブルされ得る。ユーザ機器における電力消費およびオーバーヘッドを低減するために、ＣＣＥロケーションの限られたセットが、特定のＵＥ１１５に関連するＤＣＩのために指定され得る。ＣＣＥは（たとえば、１つ、２つ、４つおよび８つのＣＣＥのグループに）グループ化され得、ユーザ機器が、関係するＤＣＩを発見し得る、ＣＣＥロケーションのセットが指定され得る。これらのＣＣＥは、探索空間として知られることがある。探索空間は、共通のＣＣＥ領域または探索空間、およびＵＥ固有（専用）のＣＣＥ領域または探索空間という、２つの領域に区分化され得る。共通のＣＣＥ領域は、基地局１０５によってサービスされるすべてのＵＥによってモニタされ、ページング情報、システム情報、ランダムアクセスプロシージャなどの情報を含み得る。ＵＥ固有探索空間は、ユーザ固有制御情報を含み得る。ＣＣＥはインデックス付けされ得、共通探索空間はＣＣＥ０から開始し得る。ＵＥ固有探索空間のための開始インデックスは、Ｃ−ＲＮＴＩ、サブフレームインデックス、ＣＣＥアグリゲーションレベルおよびランダムシードに依存し得る。
【００４４】
[0053]ＵＥ１１５は、ブラインド復号として知られているプロセスを実行することによってＤＣＩを復号しようとし得、その間に、ＤＣＩが検出されるまで、共通およびＵＥ固有探索空間内の復号候補が（候補が実際にＰＤＣＣＨ送信を含むかどうかの特定の知識なしに）復号される。ブラインド復号中に、ＵＥ１１５は、それのＣ−ＲＮＴＩを使用してすべての潜在的ＤＣＩメッセージをデスクランブルすることを試み、その試みが成功したかどうかを決定するために巡回ＣＲＣを実行し得る。ブラインド復号の複雑さ（およびＰＤＣＣＨの欠落の可能性（または偽陽性を受信する可能性）は、復号候補の総数に依存し得、復号候補の総数は、スケジュールされたＣＣの数およびＣＣ当たりの復号候補の数に依存し得る。多数のＣＣがスケジューリングされている場合、ＣＣ当たりの復号候補の数を低減することによって、誤りの可能性が低減され得る。本明細書で説明するように、ブラインド復号は、ＣＣまたはＣＣの特定の領域をモニタすることを含み得る。
【００４５】
[0054]ＰＵＣＣＨは、ＵＬ肯定応答（ＡＣＫ）、スケジューリング要求（ＳＲ）およびチャネル品質インジケータ（ＣＱＩ）および他のＵＬ制御情報に使用され得る。ＰＵＣＣＨは、コードと２つの連続するリソースブロックとによって定義される制御チャネルにマッピングされ得る。ＵＬ制御シグナリングは、セルのタイミング同期の存在に依存し得る。ＳＲおよびＣＱＩ報告のためのＰＵＣＣＨリソースは、ＲＲＣシグナリングを通じて割り当てられ（および失効され）得る。場合によっては、ＳＲのためのリソースは、ランダムアクセスチャネル（ＲＡＣＨ）プロシージャを通じて同期を獲得した後に割り当てられ得る。他の場合には、ＳＲは、ＲＡＣＨを通じてＵＥ１１５に割り当てられないことがある（すなわち、同期したＵＥは、専用ＳＲチャネルを有することもあり、有しないこともある）。ＵＥがもはや同期しなくなったとき、ＳＲおよびＣＱＩのためのＰＵＣＣＨリソースは失われ得る。
【００４６】
[0055]いくつかの場合には、ワイヤレス通信システムは、１つまたは複数の拡張ＣＣ（ｅＣＣ）を利用し得る。ｅＣＣは、フレキシブル帯域幅、可変長送信時間間隔（ＴＴＩ）、および変更された制御チャネル構成を含む、１つまたは複数の特徴によって特徴づけられ得る。いくつかの場合には、ｅＣＣは、キャリアアグリゲーション構成またはデュアル接続性構成（すなわち、複数のサービングセルが準最適なバックホールリンクを有するとき）に関連付けられ得る。ｅＣＣはまた、無認可スペクトルまたは（２つ以上のオペレータがスペクトルを使用することを認可される）共有スペクトルにおいて使用するために構成され得る。フレキシブル帯域幅によって特徴づけられるｅＣＣは、全帯域幅をモニタすることが可能でないか、または（たとえば、電力を節約するために）限られた帯域幅を使用することを選好するＵＥ１１５によって利用され得る１つまたは複数のセグメントを含み得る。
【００４７】
[0056]いくつかの場合には、基地局１０５は、チャネルを効率的にスケジュールする構成するために、ＵＥ１１５からチャネル状態情報を収集し得る。この情報は、チャネル状態報告の形でＵＥ１１５から送られ得る。チャネル状態報告は、（たとえば、ＵＥ１１５のアンテナポートに基づいて）ＤＬ送信に使用されるレイヤの数を要求するランクインジケータ（ＲＩ）と、（レイヤの数に基づいて）どのプリコーダ行列が使用されるべきかの選好を示すプリコーディング行列インジケータ（ＰＭＩ）と、使用される可能性のある最も高いＭＣＳを表すＣＱＩとを含み得る。ＣＱＩは、セル固有基準信号（ＣＲＳ）またはチャネル状態情報（ＣＳＩ）−ＲＳなど所定のパイロットシンボルを受信した後、ＵＥ１１５によって計算され得る。ＲＩおよびＰＭＩは、ＵＥ１１５が空間多重化をサポートしていない（または空間モードをサポートしない）場合、除外されてもよい。報告に含まれる情報のタイプは、報告タイプを決定する。チャネル状態報告は周期的でも非周期的でもよい。すなわち、基地局１０５は、周期的な報告を一定の間隔で送るようにＵＥ１１５を構成し、必要に応じて追加の報告を要求することもできる。非周期的報告は、全セル帯域幅にわたるチャネル品質を示す広帯域報告、最良のサブバンドのサブセットを示すＵＥで選択された報告、または報告されたサブバンドが基地局１０５によって選択される構成された報告を含み得る。いくつかのケースでは、一部のＣＣではチャネル報告が制限されることがある。たとえば、多数のＣＣがベースＣＣに分割され
【００４８】
[0057]したがって、ＵＥ１１５は、多数のＣＣを含むＣＡ構成で構成され得る。ＣＣのうちのいくつかは、ベース（base）またはベース（basis）ＣＣとして指定され、フレキシブルな制御チャネル構成を有し得、他のＣＣは、制限付き制御チャネル構成を有する補足ＣＣとして指定され得る。制限付き制御チャネルは、複雑さを低減し、制御チャネルを正常に復号する可能性を増加させ得る、低減した数の復号候補を有し得る。たとえば、制限付き制御チャネルは、アグリゲーションレベルのサブセット、低減された制御領域、または他の制限に限定され得る。いくつかの場合には、ＣＣは、ＰＵＣＣＨグループに基づいて、またはｅＰＤＣＣＨを利用するＣＣに基づいて、ベースＣＣおよび補足ＣＣにグループ化され得る。
【００４９】
[0058]図２は、本開示の様々な態様による、拡張キャリアアグリゲーションにおけるブラインド復号を低減するためのワイヤレス通信システム２００の一例を示す。ワイヤレス通信システムは、ＵＥ１１５−ａが２つのグループのＣＣ２０５を使用して基地局１０５−ａおよび１０５−ｂと通信する一例を示す。ＵＥ１１５−ａ、基地局１０５−ａ、および基地局１０５−ｂは、図１を参照しながら説明した対応するデバイスの例であり得る。
【００５０】
[0059]ＵＥ１１５−ａは、比較的多数のＣＣ（たとえば、５つより多くのＣＣ）で構成され得るので、ＰＤＣＣＨ送信の欠落の可能性、またはＰＤＣＣＨを誤って検出する可能性が増加する可能性がある。たとえば、ＰＤＣＣＨ送信の欠落の確率がＣＣごとに１％である場合、少なくとも１つのＰＤＣＣＨの欠落の可能性は２３％より高くなり得る。欠落の可能性は、ＣＣにわたる復号候補の総数に依存し得る。５つのＣＣが２６４個の総復号候補を含み得る場合、３２個のＣＣは、合計１５６０個の復号候補を含み得る。
【００５１】
[0060]ＰＤＣＣＨ送信の欠落によって、ワイヤレス通信を妨げる問題が発生する可能性がある。欠落したＰＤＣＣＨは、直接的に、欠落したＤＬ許可、または欠落したＵＬ許可をもたらし得る。または、ＰＵＣＣＨがＰＵＳＣＨとともに送信される場合、ＰＤＣＣＨ送信の欠落によって、ＰＵＣＣＨ送信に使用すべきＰＵＳＣＨ送信のミスアライメントが生じる可能性がある。他の例では、ＰＵＣＣＨフォーマットまたはＵＬ電力制御は、検出されたＰＤＣＣＨ送信の数に依存し得る。
【００５２】
[0061]いくつかの場合には、ＰＤＣＣＨの欠落よりも、偽陽性の可能性が低くなり得る。しかしながら、ＣＣの数（およびしたがって、復号候補の数）を増加させることは、偽陽性の数も増加させる可能性がある。ＰＤＣＣＨの誤検出は、ＵＬまたはＤＬ許可の誤検出をもたらす可能性がある。これによって、ＵＥ１１５−ａは、誤ったＰＵＣＣＨまたはＰＵＳＣＨをそれぞれ送信する可能性がある。
【００５３】
[0062]ＣＣの数の増加に関連付けられ得る欠落したＰＤＣＣＨ検出およびＰＤＣＣＨの誤検出の問題を軽減するために、ＵＥ１１５−ａは、１つまたは複数のＣＣの復号複雑性を低減するように構成され得る。たとえば、構成されたＣＣは、デフォルト構成を有する第１の組のベースＣＣ２０５−ａと、制限された構成を有する補足ＣＣ２０５−ｂの第２のグループとにグループ化され得る。この制限は、各ベースＣＣ２０５−ａ上の復号候補の数に対して各補足ＣＣ２０５−ｂ上の復号候補の数を低減することを含み得る。
【００５４】
[0063]補足ＣＣ２０５−ｂについての他の調整は、ＰＵＣＣＨフォーマット境界に関連付けられたある一定数のスケジュールされたＣＣを回避すること、ＰＵＣＣＨフォーマットを明示的にシグナリングすること、追加の送信電力をスケジュールすること、非周期ＣＳＩ報告の送信を制限すること、（より複雑な復号プロセスを伴い得る）ｅＰＤＣＣＨの使用を制限すること、（たとえば、送信電力制御（ＴＰＣ）フィールドまたは非周期的ＣＳＩフィールドなど、いくつか未使用のフィールドのビットを１に設定することによって）仮想ＣＲＣを使用すること、セル固有基準信号（ＣＲＳ）ベースの送信モードの使用を制限すること、またはさらにはＣＲＳを除去することを含み得る。
【００５５】
[0064]いくつかの例では、様々なＣＲＣ長が、ベースＣＣ２０５−ａおよび補足ＣＣ２０５−ｂに使用され得る。たとえば、１組のベースＣＣ２０５−ａについて、ＰＤＣＣＨもしくはｅＰＤＣＣＨ、またはその両方のＣＲＣ長は、１６ビットであってもよい。ベースＣＣ２０５−ａのこの組は、ＰＣｅｌｌまたはＰＵＣＣＨを用いた他のＣＣであってもよく、あるいは含んでいてもよい。補足ＣＣ２０５−ｂなどの他のキャリアは、たとえば、２０または２４ビットの、ＰＤＣＣＨもしくはｅＰＤＣＣＨ、またはその両方のＣＲＣ長を有し得る。このようにして、フォールスアラームの確率を低減することができると同時に、ベースＣＣ２０５−ａについて、何らかの後方互換性を達成することができる。
【００５６】
[0065]追加または代替として、ＣＲＣ長は、探索空間、復号候補、無線ネットワークテンポラリ識別子（ＲＮＴＩ）などによって変わり得る。たとえば、共通探索空間は１６ビットＣＲＣに関連付けられ得、ＵＥ固有探索空間は２０ビットＣＲＣに関連付けられ得る。同様に、いくつかの場合には、第１の復号候補は１６ビットＣＲＣに関連付けられ、第２の復号候補は２０ビットＣＲＣに関連付けられ得る。他の例では、Ｐ−ＲＮＴＩ、ＲＡ−ＲＮＴＩ、またはＳＩ−ＲＮＴＩベースのＰＤＣＣＨは１６ビットＣＲＣに関連付けられ、Ｃ−ＲＮＴＩベースのＰＤＣＣＨは２０ビットＣＲＣに関連付けられ得る。
【００５７】
[0066]いくつかの場合には、ミスアライメントを回避するために、ＵＣＩがＰＵＳＣＨと並行して送信され得る。たとえば、構成されたＵＬ  ＣＣの数が１よりも大きいときはいつでも、並列のＰＵＣＣＨおよびＰＵＳＣＨが使用され得る。いくつかの場合には、ＰＵＣＣＨおよびＰＵＳＣＨの並列送信は、明示的または暗示的なシグナリングで動的に構成され、ＰＵＣＣＨグループ単位で管理され得る。たとえば、スケジュールされたＵＬ  ＣＣの数が２以上であるとき、並列送信が可能になり得る。
【００５８】
[0067]ベースＣＣ２０５−ａおよび補足ＣＣ２０５−ｂは、動的または半静的に構成され得る。割当ては、（基地局１０５によってサービスされる各ＵＥ１１５について同じ構成を使用するのではなく）ＵＥ固有であってもよい。グループ化は、ＳＣｅｌｌのセルＩＤ、ＰＵＣＣＨグループ、またはｅＰＤＣＣＨを使用するＣＣのグループに基づき得る。いくつかの場合には、ＰＵＣＣＨグループごとに一定数のベースＣＣが割り当てられ得る。たとえば、ＵＥ１１５−ａが単一のＰＵＣＣＨグループを有する場合、５つのベースＣＣ２０５−ａが構成され得、ＵＥ１１５−ａが２つ以上のＰＵＣＣＨグループで構成されている場合、３つのベースＣＣ２０５−ａが各ＰＵＣＣＨグループに割り当てられ得る。
【００５９】
[0068]図３Ａは、本開示の様々な態様による、拡張キャリアアグリゲーションにおけるブラインド復号を低減するための物理レイヤリソース構造３０１の一例を示す。物理レイヤリソース構造３００は、図１〜図２を参照しながら説明したように、ＵＥ１１５または基地局１０５によって利用され得る、。
【００６０】
[0069]物理レイヤリソース構造３０１は、制御領域３０５とデータ領域３１０とを含み得る。各領域は、リソース要素（ＲＥ）３１５に分割されてもよい。物理レイヤリソース構造３０１は、１ｍｓサブフレームの間のＣＣの編成を表し得る。サブフレームは、フレーム（図示せず）にグループ化され得る。各サブフレームは、６個または７個のＯＦＤＭＡシンボル期間を含む、なる２つの連続するタイムスロットを含み得る。リソース要素（ＲＥ）３１５は、１つのシンボル期間と１つのサブキャリア（１５ＫＨｚ周波数範囲）とからなる。
【００６１】
[0070]リソースブロックは、周波数領域中に１２個の連続サブキャリアを含んでおり、各ＯＦＤＭシンボル中のノーマルサイクリックプレフィックスについて、時間領域（１スロット）中に７つの連続ＯＦＤＭシンボル、または８４個のリソース要素を含んでいることがある。いくつかのＲＥ３１５は、基準信号送信のために予約され得る。基準信号（ＲＳ）は、ＣＲＳおよびＵＥ固有のＲＳ（ＵＥ−ＲＳ）などのＤＬ基準信号（ＤＬ−ＲＳ）を含み得る。ＵＥ−ＲＳは、ＰＤＳＣＨに関連付けられたリソースブロック上で送信され得る。各リソース要素によって搬送されるビット数は、変調スキーム（各シンボル期間中に選択され得るシンボルの構成）に依存し得る。したがって、ＵＥ１１５が受信するリソースブロックが多いほど、また変調スキームが高いほど、データレートは高くなり得る。
【００６２】
[0071]制御領域３０５のＲＥ３１５は、リソース要素グループ（ＲＥＧ）と呼ばれる４つのＲＥセットにグループ化され、９つのＲＥＧ（または３６のＲＥ）は、ＰＤＣＣＨ送信のために使用される最小の単位であり得る制御チャネル要素（ＣＣＥ）にグループ化され得る。物理レイヤリソース構造３０１は、制御領域３０５が３つのシンボル期間をカバーする一例を示す。しかしながら、いくつかの場合には、制御領域３０５は、１つまたは２つのシンボル期間をカバーし得る。制御領域３０５のサイズは、第１のシンボル期間（図示せず）内の選択されたＲＥ３１５を使用して送信される物理制御フォーマットインジケータチャネル（ＰＣＦＩＣＨ）を使用して示され得る。
【００６３】
[0072]制御領域３０５のモニタの複雑さは、制御領域３０５のサイズを制限することによって、いくつかのＣＣ（たとえば補足ＣＣ）について低減され得る。たとえば、制御領域３０５に使用されるシンボル期間の数が制限されてもよい（すなわち、一定のサイズに縮小または制限され得る）。また、ＵＥ１１５へのＰＤＣＣＨ送信に使用される周波数範囲が制限されてもよい。たとえば、制御領域３０５のＣＣＥは、いくつかのＵＥ１１５によってモニタされ得る共通探索空間と、単一のＵＥ１１５によってモニタされるＵＥ固有探索空間とに分割され得る。（共通またはＵＥ固有の）探索空間を制限することによって、潜在的な復号候補の数を低減し得、したがって、ＰＤＣＣＨを検出する際に誤りを経験する可能性が低減される。
【００６４】
[0073]図３Ｂは、本開示の様々な態様による、拡張キャリアアグリゲーションにおけるブラインド復号を低減するための復号候補構成３０２の一例を示す。復号候補構成３０２は、図１、図２、および図３Ａを参照しながら説明したように、ＵＥ１１５または基地局１０５によって使用される物理レイヤリソース構造３０１のＣＣＥ３２０の編成の一例であり得る。
【００６５】
[0074]上記で説明したように、物理レイヤリソース構造３０１は、ＰＤＣＣＨの送信に使用される最小数のリソースであり得るＣＣＥ３２０に編成され得る。しかしながら、いくつかの場合には、ＰＤＣＣＨ送信は、単一のＣＣＥ３２０を使用して送信され得るビットよりも多いビットを含む。たとえば、ＰＤＣＣＨ送信は、各ＲＥにおいて少数のビットが搬送される低変調およびコーディングスキーム（ＭＣＳ）を使用し得、ＰＤＣＣＨ送信は、大量の情報を含み得、またはＰＤＣＣＨ送信は、低いコーディングレートもしくは高いレベルの冗長性に基づき得る。ＰＤＣＣＨ送信に使用されるＣＣＥ３２０の数は、アグリゲーションレベル（すなわち、ＣＣＥアグリゲーションのレベル）と呼ばれ得る。復号候補構成３０２は、２つの異なるアグリゲーションレベル、Ｌ：Ｌ＝２およびＬ＝４に従って編成された制御領域３０５を示す。
【００６６】
[0075]図３Ｂの例では、Ｌ＝２のとき、各レベル２  ＰＤＣＣＨ割振り候補３２５は、２つのＣＣＥ３２０を含む。したがって、物理レイヤリソース構造３０１は、１００個のＣＣＥ３２０（０〜９９）を含む場合、５０個のレベル２  ＰＤＣＣＨ割振り候補３２５に分割され得る。図３Ｂの例では、Ｌ＝４のとき、各レベル４  ＰＤＣＣＨ割振り候補３３０は、４つのＣＣＥ３２０を含む。したがって、物理レイヤリソース構造３０１は、１００個のＣＣＥ３２０を含む場合、２５個のレベル２  ＰＤＣＣＨ割振り候補３２５に分割され得る。同じＣＣＥ３２０は複数の方法で編成され得ることに留意されたい。したがって、ＵＥ１１５は、アグリゲーションレベル１、２、４、および８など複数のアグリゲーションレベルを含む探索空間をモニタするように構成され得る。複数のアグリゲーションレベルをモニタすることによって、復号候補の数が増える可能性がある。したがって、ＵＥ１１５の１組のＣＣについてアグリゲーションレベルの数が制限されている（たとえば、レベル４およびレベル８に）場合、復号候補の数が低減され得、ＰＤＣＣＨの検出における誤りの可能性が低減され得る。
【００６７】
[0076]図４は、本開示の様々な態様による、拡張キャリアアグリゲーションにおけるブラインド復号を低減するためのプロセスフロー４００の一例を示す。プロセスフロー４００は、図１〜図２を参照しながら説明した基地局１０５の一例であり得る、ＵＥ１１５−ｂと基地局１０５−ｃとを含み得る。
【００６８】
[0077]４０５において、ＵＥ１１５−ｂおよび基地局１０５−ｃは、比較的多数のＣＣ（たとえば、５よりも大きい）を有するＣＡ構成を含むＲＲＣ接続を確立し得る。ＵＥ１１５−ａは、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成を基地局１０５−ｃから受信し得、ここにおいて、第１の制御チャネル制限もしくは第２の制御チャネル制限、またはその両方は、復号候補制限を備える。いくつかの例では、第２の制御チャネル制限は、５つより多くのＣＣを含むＣＡ構成に基づく。
【００６９】
[0078]基地局４０５から見た、本明細書で使用される制御チャネル制限は、制御チャネルシグナリングに関するいくつかの制限を指し得る。たとえば、基地局１０５−ｃは、ＵＥごとに、ＣＣをベースＣＣまたは補足ＣＣとして構成し得る。ベースＣＣの場合、基地局１０５−ｃは、シグナリングに関するいくつかの制限を観察し得る。いくつかの例では、ベースＣＣ制御チャネルは、ＬＴＥ規格に従って十分なフレキシビリティで管理される（たとえば、追加の制限は課されない）。補足ＣＣの場合、基地局１０５−ｃは、いくつかのＤＣＩフォーマットの使用、ＵＥ固有探索空間のアグリゲーションレベルの制限、候補をモニタしているＣＣＥの数を制御することによるブラインド復号動作の総数の制限などを控えることを含み得る、制御チャネルシグナリングに関する異なる制限を観測し得る。したがって、基地局１０５−ｃから見た、制御チャネル制限は、制御チャネルの管理を指し得る。
【００７０】
[0079]ＵＥ１１５−ｂから見ると、制御チャネル制限は、ＵＥ１１５−ｂが制御チャネルをどのようにモニタすべきかを示す、または含意し得る。ベースＣＣの場合、ＵＥ１１５−ｂは、限定された制限に従って制御チャネルをモニタし得る。たとえば、ＵＥ１１５−ｂは、ＬＴＥ規格に指定されているように制御チャネルをモニタし得る。補足ＣＣの場合、たとえば、ＵＥ１１５−ｂは、いくつかのＤＣＩフォーマットをチェックする、いくつかのアグリゲーションレベルを探索するなどを必要としない可能性がある。いくつかの例では、制御チャネル制限は、（たとえば、サブフレームの数など）所与の間隔におけるｅＰＤＣＣＨ送信の数を制限することも含む。したがって、ＵＥ１１５−ｂから見た、制御チャネル制限は、制御チャネルの使用または利用を指し得る。
【００７１】
[0080]４１０において、ＵＥ１１５−ａは、ＣＣを１つまたは複数の第１のＣＣ（本明細書では「ベースＣＣ」と呼ぶ）と、１つまたは複数の第２のＣＣ（本明細書では「補足ＣＣ」と呼ぶ）にグループ化するメッセージを基地局１０５−ｃから受信し得る。いくつかの場合には、グループ化メッセージは、ＲＲＣ構成の一部であり得る。いくつかの例では、１つまたは複数の第１のＣＣは物理ダウンリンク制御チャネル（ＰＤＣＣＨ）構成に関連付けられ、１つまたは複数の第２のＣＣはｅＰＤＣＣＨ構成に関連付けられる。いくつかの例では、１つまたは複数の第１のＣＣおよび第２のＣＣは、ｅＰＤＣＣＨ  ＣＣの数の制限に基づいてグループ化される。たとえば、ＵＥ１１５−ｂは、ｅＰＤＣＣＨについて第１または第２のグループのＣＣをモニタするように構成されてもよい。
【００７２】
[0081]４１５において、基地局１０５−ｃは、構成されたＣＣを使用していくつかの制御チャネルを送信し得る。ＵＥ１１５−ｂは、（フレキシブルな構成、すなわち、たとえばＬＴＥ規格で提供されるデフォルトの制御チャネル構成に基づき得る）第１の制御チャネル制限に従って、１つまたは複数の第１のＣＣの制御チャネルをモニタし得、（第１の制御チャネル制限よりも制限されている可能性がある）第２の制御チャネル制限に従って、１つまたは複数の第２のＣＣの制御チャネルをモニタし得る。いくつかの例では、第２の制御チャネル制限は、限られた数のアグリゲーションレベル、限られた組の制御情報チャネル、限られた数の復号候補、ＣＳＩ制限、制御領域制限、ＤＬ送信モード制限もしくはＵＬ送信モード制限、またはそれらの組合せを含む。
【００７３】
[0082]基地局１０５−ｃは、スケジュールされたＣＣの数に基づいてワイヤレスデバイスのためのＰＵＣＣＨフォーマットを決定し得る。基地局１０５−ｃは、ＰＵＣＣＨフォーマットのインジケーションを含み得るＤＣＩをＵＥ１１５−ａに送信し得る。いくつかの例では、ＰＵＣＣＨフォーマットのインジケーションは、５つより多くのＣＣを含むＣＣに基づく。基地局１０５−ｃは、スケジュールされたＣＣの数とＰＵＣＣＨフォーマットとの間の関連付けに基づいてＣＣスケジューリング制限を識別し得る。基地局１０５−ｃは、スケジューリング制限に基づいて、ワイヤレスデバイスのための少なくとも１つのＣＣをスケジュールし得る。いくつかの例では、ＣＣスケジューリング制限は、５つより多くのＣＣを含むスケジュールされたＣＣの数に基づく。
【００７４】
[0083]４２０において、ＵＥ１１５−ａは、第１および第２の制御チャネル制限に基づいて１組のＰＤＣＣＨ復号候補を識別し得る。たとえば、第１の（またはベース）ＣＣの組内の各ＣＣのＰＤＣＣＨ復号候補の数は、ＬＴＥ規格に従って決定され、異なる制限に基づいて、第２の（または補足）ＣＣの各々におけるＰＤＣＣＨ復号候補内の復号候補の数を超える数を含み得る。したがって、ＵＥ１１５−ｂは、ＣＣの数に関連付けられた、あるいくつかの制御メッセージを受信し得る。たとえば、制御メッセージは、ＰＤＣＣＨメッセージ、ＲＲＣ構成メッセージ、または別の制御メッセージなどの制御チャネルメッセージであってもよい。
【００７５】
[0084]４２５において、ＵＥ１１５−ａは、識別された復号候補に基づいて制御チャネルをブラインド復号し得る。したがって、いくつかの例では、１つまたは複数の第１のＣＣの制御チャネルをモニタすることは、１つまたは複数の第１のＣＣについての第１の数の制御メッセージ候補をブラインド復号することを含み、１つまたは複数の第２のＣＣの制御チャネルをモニタすることは、１つまたは複数の第２のＣＣについての第２の数の制御メッセージ候補をブラインド復号することを含み、第２の数は、第１および第２の制御チャネル制限に基づく、第１の数未満であり得る。
【００７６】
[0085]いくつかの場合には、ＵＥ１１５−ｂは、１つまたは複数の第１のＣＣの制御チャネルをモニタすることに基づいて、制御メッセージを復号し得、ここで、第２の制御チャネル制限は、第１の制御メッセージに基づき得る。ＵＥ１１５−ｂは、１つまたは複数の第２のＣＣの制御チャネルをモニタする前に制御メッセージを復号し得、第２の制御チャネル制限は、制御メッセージに基づき得る。ＵＥ１１５−ｂは、１つまたは複数の第２のＣＣの制御チャネルをモニタすることに基づいて制御メッセージを復号し得、制御メッセージは、データフィールド内の制限されたデータ割振りに基づく仮想ＣＲＣを含み得る。
【００７７】
[0086]ＵＥ１１５−ｂは、いくつかの制御メッセージからＤＣＩを復号し得、ＤＣＩは、ＰＵＣＣＨフォーマットインジケーションを含み得る。いくつかの場合には、ＵＥ１１５−ｂまたは基地局１０５−ｃは、制御メッセージに基づいていくつかのＣＣの各々についてセルインデックスを識別し得る。
【００７８】
[0087]４３０において、ＵＥ１１５−ａは、ブラインド復号に基づいて受信された制御チャネルメッセージに基づいてＤＬ共有チャネル（たとえば、ユーザデータのための）を受信し得る。いくつかの場合には、ＰＤＳＣＨは、（同じＴＴＩで）ＰＤＣＣＨと同時に送られ、送信は制御チャネルが復号されるまでバッファリングされる。いくつかの場合には、ＵＥ１１５−ｂは、スケジュールされたＣＣの最も低いセルインデックスを有するＣＣに基づいてアップリンク制御情報（ＵＣＩ）を送信し得る。いくつかの例では、ＵＣＩは、ＰＵＳＣＨリソースを使用して送信される。
【００７９】
[0088]図５は、本開示の様々な態様による、拡張キャリアアグリゲーションにおけるブラインド復号の低減をサポートするワイヤレスデバイス５００のブロック図を示す。ワイヤレスデバイス５００は、図１〜図４を参照しながら説明されたＵＥ１１５の態様の一例であり得る。ワイヤレスデバイス５００は、受信機５０５、ｅＣＡブラインド復号モジュール５１０、または送信機５１５を含み得る。ワイヤレスデバイス５００はプロセッサをも含み得る。これらの構成要素の各々は、互いと通信していることがある。
【００８０】
[0089]受信機５０５は、パケット、ユーザデータ、または様々な情報チャネルに関連する制御情報（たとえば、制御チャネル、データチャネル、および拡張キャリアアグリゲーションにおけるブラインド復号の低減に関する情報など）などの情報を受信し得る。情報は、ｅＣＡブラインド復号モジュール５１０に、およびワイヤレスデバイス５００の他の構成要素にパスされ得る。
【００８１】
[0090]ｅＣＡブラインド復号モジュール５１０は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成を受信し得、ここにおいて、第１の制御チャネル制限もしくは第２の制御チャネル制限、またはその両方は、復号候補制限を備える、第１の制御チャネル制限に従って１つまたは複数の第１のＣＣの制御チャネルをモニタし、第２の制御チャネル制限に従って１つまたは複数の第２のＣＣの制御チャネルをモニタする。
【００８２】
[0091]送信機５１５は、ワイヤレスデバイス５００の他の構成要素から受信された信号を送信し得る。いくつかの例では、送信機５１５は、トランシーバモジュールにおいて受信機５０５とコロケートされ得る。送信機５１５は、単一のアンテナを含み得るか、または送信機５１５は、複数のアンテナを含み得る。
【００８３】
[0092]図６は、本開示の様々な態様による、拡張キャリアアグリゲーションにおけるブラインド復号の低減をサポートするワイヤレスデバイス６００のブロック図を示す。ワイヤレスデバイス６００は、図１〜図５を参照しながら説明されたワイヤレスデバイス５００またはＵＥ１１５の態様の一例であり得る。ワイヤレスデバイス６００は、受信機５０５−ａ、ｅＣＡブラインド復号モジュール５１０−ａ、または送信機５１５−ａを含み得る。ワイヤレスデバイス６００はまた、プロセッサを含み得る。これらの構成要素の各々は、互いと通信していることがある。ｅＣＡブラインド復号モジュール５１０−ａはまた、ＣＡ構成モジュール６０５と、モニタモジュール６１０と、制限付きモニタモジュール６１５とを含み得る。
【００８４】
[0093]受信機５０５−ａは、ｅＣＡブラインド復号モジュール５１０−ａに、およびワイヤレスデバイス６００の他の構成要素にパスされ得る情報を受信し得る。ｅＣＡブラインド復号モジュール５１０−ａは、図５を参照しながら説明された動作を実行し得る。送信機５１５−ａは、ワイヤレスデバイス６００の他の構成要素から受信された信号を送信し得る。
【００８５】
[0094]ＣＡ構成モジュール６０５は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成を受信し得、ここにおいて、図２〜図４を参照して説明したように、第１の制御チャネル制限もしくは第２の制御チャネル制限、またはその両方は、復号候補制限を備える。いくつかの例では、第２の制御チャネル制限は、５つより多くのＣＣを含むＣＡ構成に基づき得る。いくつかの例では、第２の制御チャネル制限は、５つより多くのＣＣを含むＣＡ構成に基づき得る。
【００８６】
[0095]モニタモジュール６１０は、図２〜図４を参照して説明したように、第１の制御チャネル制限に従って１つまたは複数の第１のＣＣの制御チャネルをモニタし得る。
【００８７】
[0096]制限付きモニタモジュール６１５は、図２〜図４を参照して説明したように、第２の制御チャネル制限に従って１つまたは複数の第２のＣＣの制御チャネルをモニタし得る。いくつかの例では、第２の制御チャネル制限は、限られた数のアグリゲーションレベル、限られた組の制御情報チャネル、限られた数の復号候補、ＣＳＩ制限、制御領域制限、ＤＬ送信モード制限もしくはアップリンク送信モード制限送信モード制限、またはそれらの任意の組合せを含み得る。
【００８８】
[0097]図７は、本開示の様々な態様による、拡張キャリアアグリゲーションにおけるブラインド復号の低減をサポートするワイヤレスデバイス５００またはワイヤレスデバイス６００の構成要素であり得るｅＣＡブラインド復号モジュール５１０−ｂのブロック図７００を示す。ｅＣＡブラインド復号モジュール５１０−ｂは、図５〜図６を参照しながら説明したｅＣＡブラインド復号モジュール５１０の態様の一例であり得る。ｅＣＡブラインド復号モジュール５１０−ｂは、ＣＡ構成モジュール６０５−ａと、モニタモジュール６１０−ａと、制限付きモニタモジュール６１５−ａとを含み得る。これらのモジュールの各々は、図６を参照しながら説明した機能を実行し得る。ｅＣＡブラインド復号モジュール５１０−ｂは、復号候補選択モジュール７０５と、ｅＰＤＣＣＨモジュール７１０と、制御メッセージマネージャ７１５と、ＤＣＩモジュール７２０と、ＰＵＣＣＨフォーマットモジュール７２５と、セルインデックスモジュール７３０と、ＵＣＩモジュール７３５とも含み得る。
【００８９】
[0098]復号候補選択モジュール７０５は、１つまたは複数の第１のＣＣの制御チャネルをモニタすることが、図２〜図４を参照しながら説明したように、１つまたは複数の第１のＣＣについての第１の数の制御メッセージ候補をブラインド復号することを含み得るように構成され得る。いくつかの例では、１つまたは複数の第１のＣＣの制御チャネルをモニタすることは、１つまたは複数の第２のＣＣについての第２の数の制御メッセージ候補をブラインド復号することを含み、第２の数は、第１の数未満であり得、第１および第２の制御チャネル制限に少なくとも部分的に基づき得る。
【００９０】
[0099]ｅＰＤＣＣＨモジュール７１０は、ｅＰＤＣＣＨメッセージの受信を管理するように構成される場合がある。いくつかの場合には、図２〜図４を参照しながら説明したように、１つまたは複数の第１のＣＣはＰＤＣＣＨ構成に関連付けられ、１つまたは複数の第２のＣＣはｅＰＤＣＣＨ構成に関連付けられる。いくつかの例では、１つまたは複数の第１のＣＣおよび第２のＣＣは、ｅＰＤＣＣＨ  ＣＣの数の制限に基づいてグループ化される。いくつかの例では、１つまたは複数の第１のＣＣおよび第２のＣＣは、ｅＰＤＣＣＨ  ＣＣの数の制限に基づいてグループ化される。
【００９１】
[0100]制御メッセージマネージャ７１５は、１つまたは複数の第１のＣＣの制御チャネルをモニタすることに基づいて、制御メッセージを復号し得、図２〜図４を参照しながら説明したように、第２の制御チャネル制限は、第１の制御メッセージに基づき得る。制御メッセージマネージャ７１５はまた、１つまたは複数の第２のＣＣの制御チャネルをモニタする前に制御メッセージを復号し得、ここで、第２の制御チャネル制限は、制御メッセージに基づき得る。制御メッセージマネージャ７１５はまた、１つまたは複数の第２のＣＣの制御チャネルをモニタすることに基づいて制御メッセージを復号し得、制御メッセージは、データフィールド内の制限されたデータ割振りに基づく仮想ＣＲＣを含み得る。制御メッセージマネージャ７１５は、ＣＡ構成の複数のＣＣに関連付けられた複数の制御メッセージを受信し得る。
【００９２】
[0101]ＤＣＩモジュール７２０は、複数の制御メッセージからＤＣＩを復号し得、ここで、ＤＣＩは、図２〜図４を参照しながら説明したように、ＰＵＣＣＨフォーマットインジケーションを含み得る。ＤＣＩモジュール７２０はまた、５つより多くのＣＣを含む複数のＣＣに基づくＵＣＩを受信し得る、。
【００９３】
[0102]ＰＵＣＣＨフォーマットモジュール７２５は、図２〜図４を参照しながら説明したように、ＰＵＣＣＨフォーマットインジケーションに従って、複数のＣＣのうちの少なくとも１つに対応する制御メッセージを送信し得る。いくつかの例では、ＰＵＣＣＨフォーマットインジケーションは、５つより多くのＣＣを含む複数のＣＣに基づき得る。いくつかの例では、ＰＵＣＣＨフォーマットのインジケーションは、５つより多くのＣＣを含む複数のＣＣに基づき得る。
【００９４】
[0103]セルインデックスモジュール７３０は、図２〜図４を参照しながら説明したように、複数の制御メッセージに基づいて、複数のＣＣの各々についてセルインデックスを識別し得る。
【００９５】
[0104]ＵＣＩモジュール７３５は、図２〜図４を参照しながら説明したように、複数のＣＣのうち最も低いセルインデックスを有するＣＣに基づいてＵＣＩを送信し得る。いくつかの例では、ＵＣＩは、ＰＵＳＣＨリソースを使用して送信され得る。ＵＣＩモジュール７３５はまた、５つより多くのＣＣを含む複数のＣＣに基づいてＵＣＩを送信し得る。いくつかの例では、ＵＣＩは、ＰＵＳＣＨリソースを使用して受信され得る。
【００９６】
[0105]図８は、本開示の様々な態様による、拡張キャリアアグリゲーションにおけるブラインド復号の低減をサポートするＵＥ１１５を含むシステム８００の図を示す。システム８００は、図１、図２および図５〜図７を参照しながら説明されたワイヤレスデバイス５００、ワイヤレスデバイス６００、またはＵＥ１１５の一例であり得るＵＥ１１５−ｃを含み得る。ＵＥ１１５−ｃは、図５〜図７を参照しながら説明されたｅＣＡブラインド復号モジュール５１０の一例であり得る、ｅＣＡブラインド復号モジュール８１０を含み得る。ＵＥ１１５−ｃは、ｅＣＡモジュール８２５をも含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは、基地局１０５−ｄまたは基地局１０５−ｅと双方向に通信し得る。
【００９７】
[0106]ｅＣＡモジュール８２５は、ｅＣＡ動作を管理し得る。ｅＣＡ動作は、図１を参照して説明されたように、５つより多くのＣＣを利用すること、無認可スペクトルを利用すること、または１つまたは複数のｅＣＣを利用することを含み得る。
【００９８】
[0107]ＵＥ１１５−ｃはまた、プロセッサ８０５と、（ソフトウェア（ＳＷ）８２０を含む）メモリ８１５と、トランシーバ８３５と、１つまたは複数のアンテナ８４０とを含み得、それらの各々は、（たとえば、バス８４５を介して）互いと直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｃは単一のアンテナ８４０を含み得るが、ＵＥ１１５−ｃはまた、複数のワイヤレス送信をコンカレントに送信または受信することが可能な複数のアンテナ８４０を有し得る。
【００９９】
[0108]メモリ８１５は、ランダムアクセスメモリ（ＲＡＭ）と読取り専用メモリ（ＲＯＭ）とを含む場合がある。メモリ８１５は、実行されたとき、プロセッサ８０５に本明細書で説明する様々な機能（たとえば、拡張キャリアアグリゲーションにおけるブラインド復号の低減など）を実施させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実施させ得る。プロセッサ８０５は、インテリジェントハードウェアデバイス（たとえば、中央処理ユニット（ＣＰＵ）、マイクロコントローラ、ＡＳＩＣなど）を含み得る。
【０１００】
[0109]図９は、本開示の様々な態様による、拡張キャリアアグリゲーションにおけるブラインド復号の低減をサポートするワイヤレスデバイス９００のブロック図を示す。ワイヤレスデバイス９００は、図１〜図８を参照しながら説明された基地局１０５の態様の一例であり得る。ワイヤレスデバイス９００は、受信機９０５、基地局ｅＣＡブラインド復号モジュール９１０、または送信機９１５を含み得る。ワイヤレスデバイス９００はプロセッサをも含み得る。これらの構成要素の各々は、互いと通信していることがある。
【０１０１】
[0110]受信機９０５は、パケット、ユーザデータ、または様々な情報チャネルに関連する制御情報（たとえば、制御チャネル、データチャネル、および拡張キャリアアグリゲーションにおけるブラインド復号の低減に関する情報など）などの情報を受信し得る。情報は、基地局ｅＣＡブラインド復号モジュール９１０に、およびワイヤレスデバイス９００の他の構成要素にパスされ得る。
【０１０２】
[0111]基地局ｅＣＡブラインド復号モジュール９１０は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成でワイヤレスデバイスを構成し得、ここにおいて、第１の制御チャネル制限もしくは第２の制御チャネル制限、またはその両方は、復号候補制限を備える、第１の制御チャネル制限に従って１つまたは複数の第１のＣＣの制御チャネルを送信し、第２の制御チャネル制限に従って１つまたは複数の第２のＣＣの制御チャネルを送信する。
【０１０３】
[0112]送信機９１５は、ワイヤレスデバイス９００の他の構成要素から受信された信号を送信し得る。いくつかの例では、送信機９１５は、トランシーバモジュールにおいて受信機９０５とコロケートされ得る。送信機９１５は、単一のアンテナを含み得るか、または送信機９１５は、複数のアンテナを含み得る。
【０１０４】
[0113]図１０は、本開示の様々な態様による、拡張キャリアアグリゲーションにおけるブラインド復号の低減をサポートするワイヤレスデバイス１０００のブロック図を示す。ワイヤレスデバイス１０００は、図１〜図９を参照しながら説明されたワイヤレスデバイス９００または基地局１０５の態様の一例であり得る。ワイヤレスデバイス１０００は、受信機９０５−ａ、基地局ｅＣＡブラインド復号モジュール９１０−ａ、または送信機９１５−ａを含み得る。ワイヤレスデバイス１０００はプロセッサをも含み得る。これらの構成要素の各々は、互いと通信していることがある。基地局ｅＣＡブラインド復号モジュール９１０−ａはまた、ＢＳ  ＣＡ構成モジュール１００５と、ＢＳ制御メッセージマネージャ１０１０と、制限付き制御チャネルモジュール１０１５とを含み得る。
【０１０５】
[0114]受信機９０５−ａは、基地局ｅＣＡブラインド復号モジュール９１０−ａに、およびワイヤレスデバイス１０００の他の構成要素に受け渡され得る情報を受信し得る。基地局ｅＣＡブラインド復号モジュール９１０−ａは、図９を参照しながら説明された動作を実施し得る。送信機９１５−ａは、ワイヤレスデバイス１０００の他の構成要素から受信された信号を送信し得る。
【０１０６】
[0115]ＢＳ  ＣＡ構成モジュール１００５は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成でワイヤレスデバイスを構成し得、ここにおいて、図２〜図４を参照して説明されたように、第１の制御チャネル制限もしくは第２の制御チャネル制限、またはその両方は、復号候補制限を備える。
【０１０７】
[0116]ＢＳ制御メッセージマネージャ１０１０は、図２〜図４を参照して説明されたように、第１の制御チャネル制限に従って１つまたは複数の第１のＣＣの制御チャネルを送信し得る。ＢＳ制御メッセージマネージャ１０１０は、ＣＡ構成の複数のＣＣに関連付けられた複数の制御メッセージを送信し得る。
【０１０８】
[0117]制限付き制御チャネルモジュール１０１５は、図２〜図４を参照して説明されたように、第２の制御チャネル制限に従って１つまたは複数の第２のＣＣの制御チャネルを送信し得る。いくつかの例では、第２の制御チャネル制限は、限られた数のアグリゲーションレベル、限られた組の制御情報チャネル、限られた数の復号候補、ＣＳＩ制限、制御領域制限、ＤＬ送信モード制限もしくはアップリンク送信モード制限送信モード制限、またはそれらの任意の組合せを含む。制限付き制御チャネルモジュール１０１５はまた、第２の制御チャネル制限に基づいて制御メッセージを送信し得、ここで、制御メッセージは、データフィールド内の制限されたデータ割振りに基づく仮想ＣＲＣを含み得る。
【０１０９】
[0118]図１１は、本開示の様々な態様による、拡張キャリアアグリゲーションにおけるブラインド復号を低減するためのワイヤレスデバイス９００またはワイヤレスデバイス１０００の構成要素であり得る基地局ｅＣＡブラインド復号モジュール９１０−ｂのブロック図１１００を示す。基地局ｅＣＡブラインド復号モジュール９１０−ｂは、図９〜図１０を参照しながら説明された基地局ｅＣＡブラインド復号モジュール９１０の態様の一例であり得る。基地局ｅＣＡブラインド復号モジュール９１０−ｂは、ＢＳ  ＣＡ構成モジュール１００５−ａと、ＢＳ制御メッセージマネージャ１０１０−ａと、制限付き制御チャネルモジュール１０１５−ａとを含み得る。これらのモジュールの各々は、図１０を参照しながら説明された機能を実行し得る。基地局ｅＣＡブラインド復号モジュール９１０−ｂはまた、ＢＳ  ＰＵＣＣＨフォーマットモジュール１１０５と、ＢＳ  ＤＣＩモジュール１１１０と、スケジューリングモジュール１１１５と、ＢＳセルインデックスモジュール１１２０と、ＢＳ  ＵＣＩモジュール１１２５と、ＢＳ  ｅＰＤＣＣＨモジュール１１３０とを含み得る。
【０１１０】
[0119]ＢＳ  ＰＵＣＣＨフォーマットモジュール１１０５は、図２〜図４を参照しながら説明されたように、スケジュールされたＣＣの数に基づいてワイヤレスデバイスのＰＵＣＣＨフォーマットを決定し得る。
【０１１１】
[0120]ＢＳ  ＤＣＩモジュール１１１０は、図２〜図４を参照しながら説明されたように、ＰＵＣＣＨフォーマットのインジケーションを含むＤＣＩをワイヤレスデバイスに送信し得る。
【０１１２】
[0121]スケジューリングモジュール１１１５は、図２〜図４を参照しながら説明されたように、スケジュールされたＣＣの数とＰＵＣＣＨフォーマットとの間の関連付けに基づいてＣＣスケジューリング制限を識別し得る。スケジューリングモジュール１１１５は、スケジューリング制限に基づいて、ワイヤレスデバイスのための少なくとも１つのＣＣもスケジュールし得る。いくつかの例では、ＣＣスケジューリング制限は、５つより多くのＣＣを含む複数のＣＣに基づき得る。
【０１１３】
[0122]ＢＳセルインデックスモジュール１１２０は、図２〜図４を参照しながら説明されたように、複数のＣＣのうち最も低いセルインデックスを有するＣＣを識別し得る。
【０１１４】
[0123]ＢＳ  ＵＣＩモジュール１１２５は、図２〜図４を参照しながら説明されたように、最も低いセルインデックスを有するＣＣ上でＵＣＩを受信し得る。
【０１１５】
[0124]ＢＳ  ｅＰＤＣＣＨモジュール１１３０は、ｅＰＤＣＣＨ動作を管理し得る。たとえば、ＵＥ１１５は、図２〜図４を参照しながら説明されたように、１つまたは複数の第１のＣＣはＰＤＣＣＨ構成に関連付けられ、１つまたは複数の第２のＣＣはｅＰＤＣＣＨ構成に関連付けられるように構成され得る。
【０１１６】
[0125]図１２は、本開示の様々な態様による、拡張キャリアアグリゲーションにおけるブラインド復号を低減するために構成された基地局１０５を含むシステム１２００の図を示す。システム１２００は、図１、図２および図９〜図１１を参照しながら説明されたワイヤレスデバイス９００、ワイヤレスデバイス１０００、または基地局１０５の一例であり得る基地局１０５−ｆを含み得る。基地局１０５−ｆは、図９〜図１１を参照して記載された基地局ｅＣＡブラインド復号モジュール９１０の一例であり得る、基地局ｅＣＡブラインド復号モジュール１２１０を含む場合がある。基地局１０５−ｆは、通信を送信するための構成要素と通信を受信するための構成要素とを含む、双方向音声およびデータ通信のための構成要素を含む場合もある。たとえば、基地局１０５−ｆは、ＵＥ１１５−ｄまたはＵＥ１１５−ｅと双方向に通信することができる。
【０１１７】
[0126]場合によっては、基地局１０５−ｆは、１つまたは複数のワイヤードバックホールリンクを有し得る。基地局１０５−ｆは、コアネットワーク１３０への有線バックホールリンク（たとえば、Ｓ１インターフェースなど）を有する場合がある。基地局１０５−ｆはまた、基地局間バックホールリンク（たとえば、Ｘ２インターフェース）を介して、基地局１０５−ｇおよび基地局１０５−ｈなど、他の基地局１０５と通信し得る。基地局１０５の各々は、同じまたは異なるワイヤレス通信技術を使用してＵＥ１１５と通信し得る。場合によっては、基地局１０５−ｆは、基地局通信モジュール１２２５を利用して１０５−ｇまたは１０５−ｈなどの他の基地局と通信し得る。いくつかの例では、基地局通信モジュール１２２５は、基地局１０５のいくつかの間の通信を行うために、ＬＴＥ／ＬＴＥ−Ａワイヤレス通信ネットワーク技術内のＸ２インターフェースを与え得る。いくつかの例では、基地局１０５−ｆは、コアネットワーク１３０を通して他の基地局と通信し得る。場合によっては、基地局１０５−ｆは、ネットワーク通信モジュール１２３０を通してコアネットワーク１３０と通信し得る。
【０１１８】
[0127]基地局１０５−ｆは、プロセッサ１２０５と、（ソフトウェア（ＳＷ）１２２０を含む）メモリ１２１５と、トランシーバ１２３５と、アンテナ１２４０とを含む場合があり、それらの各々は、（たとえば、バスシステム１２４５を介して）直接的または間接的に、互いと通信している場合がある。トランシーバ１２３５は、（１つまたは複数の）アンテナ１２４０を介して、マルチモードデバイスであり得るＵＥ１１５と双方向に通信するように構成され得る。トランシーバ１２３５（または基地局１０５−ｆの他の構成要素）はまた、アンテナ１２４０を介して、１つまたは複数の他の基地局（図示せず）と双方向に通信するように構成され得る。トランシーバ１２３５は、パケットを変調し、変調パケットを送信用にアンテナ１２４０に供給し、アンテナ１２４０から受信されたパケットを復調するように構成されたモデムを含む場合がある。基地局１０５−ｆは、各々が１つまたは複数の関連するアンテナ１２４０を有する、複数のトランシーバ１２３５を含む場合がある。トランシーバは、図９の組み合わせられた受信機９０５および送信機９１５の一例であり得る。
【０１１９】
[0128]メモリ１２１５はＲＡＭとＲＯＭとを含み得る。メモリ１２１５はまた、実行されたとき、プロセッサ１２０５に本明細書で説明する様々な機能（たとえば、拡張キャリアアグリゲーションにおけるブラインド復号を低減すること、カバレージ拡張技法を選択すること、呼処理、データベース管理、メッセージルーティングなど）を実施させるように構成された命令を含んでいるコンピュータ可読、コンピュータ実行可能ソフトウェアコード１２２０を記憶し得る。代替的に、ソフトウェア１２２０は、プロセッサ１２０５によって直接的に実行可能でないことがあるが、たとえば、コンパイルされ実行されたとき、コンピュータに本明細書で説明される機能を実施させるように構成され得る。プロセッサ１２０５は、インテリジェントハードウェアデバイス、たとえば、ＣＰＵ、マイクロコントローラ、ＡＳＩＣなどを含み得る。プロセッサ１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１２０】
[0129]基地局通信モジュール１２２５は、他の基地局１０５との通信を管理し得る。いくつかの場合には、通信管理モジュールは、他の基地局１０５と協働してＵＥ１１５との通信を制御するためのコントローラまたはスケジューラを含む場合がある。たとえば、基地局通信モジュール１２２５は、ビームフォーミングまたはジョイント送信などの様々な干渉緩和技法のためのＵＥ１１５への送信のためのスケジューリングを協調させ得る。
【０１２１】
[0130]ワイヤレスデバイス５００、ワイヤレスデバイス６００、ｅＣＡブラインド復号モジュール５１０、システム８００、ワイヤレスデバイス９００、ワイヤレスデバイス１０００、基地局ｅＣＡブラインド復号モジュール９１０、およびシステム１２００の構成要素は各々、ハードウェアで適用可能な機能の一部または全部を実施するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実施され得る。他の例では、当技術分野で知られている任意の様式でプログラムされ得る、他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０１２２】
[0131]図１３は、本開示の様々な態様による、拡張キャリアアグリゲーションにおけるブラインド復号を低減するための方法１３００を示すフローチャートを示す。方法１３００の動作は、図１〜図１２を参照しながら説明されたようにＵＥ１１５またはそれの構成要素によって実装され得る。たとえば、方法１３００の動作は、図５〜図８を参照しながら説明されたように、ｅＣＡブラインド復号モジュール５１０によって実施され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される機能態様を実施し得る。
【０１２３】
[0132]ブロック１３０５において、ＵＥ１１５は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成を受信し得、ここにおいて、図２〜図４を参照して説明されたように、第１の制御チャネル制限もしくは第２の制御チャネル制限、またはその両方は、復号候補制限を備える。いくつかの例では、ブロック１３０５の動作は、図６を参照しながら説明されたように、ＣＡ構成モジュール６０５によって実行され得る。
【０１２４】
[0133]ブロック１３１０において、ＵＥ１１５は、図２〜図４を参照して説明されたように、第１の制御チャネル制限に従って１つまたは複数の第１のＣＣの制御チャネルをモニタし得る。いくつかの例では、ブロック１３１０の動作は、図６を参照しながら説明されたように、モニタモジュール６１０によって実行され得る。
【０１２５】
[0134]ブロック１３１５において、ＵＥ１１５は、図２〜図４を参照して説明されたように、第２の制御チャネル制限に従って１つまたは複数の第２のＣＣの制御チャネルをモニタし得る。いくつかの例では、ブロック１３１５の動作は、図６を参照しながら説明されたように、制限付きモニタモジュール６１５によって実行され得る。
【０１２６】
[0135]図１４は、本開示の様々な態様による、拡張キャリアアグリゲーションにおけるブラインド復号を低減するための方法１４００を示すフローチャートを示す。方法１４００の動作は、図１〜図１２を参照しながら説明されたようにＵＥ１１５またはそれの構成要素によって実装され得る。たとえば、方法１４００の動作は、図５〜図８を参照しながら説明されたように、ｅＣＡブラインド復号モジュール５１０によって実施され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される機能態様を実施し得る。方法１４００はまた、図１３の方法１３００の態様を組み込み得る。
【０１２７】
[0136]ブロック１４０５において、ＵＥ１１５は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成を受信し得、ここにおいて、図２〜図４を参照して説明されたように、第１の制御チャネル制限もしくは第２の制御チャネル制限、またはその両方は、復号候補制限を備える。いくつかの例では、ブロック１４０５の動作は、図６を参照しながら説明されたように、ＣＡ構成モジュール６０５によって実行され得る。
【０１２８】
[0137]ブロック１４１０において、ＵＥ１１５は、図２〜図４を参照して説明されたように、第１の制御チャネル制限に従って１つまたは複数の第１のＣＣの制御チャネルをモニタし得る。いくつかの場合には、１つまたは複数の第１のＣＣの制御チャネルをモニタすることは、１つまたは複数の第１のＣＣについての第１の数の制御メッセージ候補をブラインド復号することを含み得る。いくつかの例では、ブロック１４１０の動作は、図６を参照しながら説明されたように、モニタモジュール６１０によって実行され得る。
【０１２９】
[0138]ブロック１４１５において、ＵＥ１１５は、図２〜図４を参照して説明されたように、第２の制御チャネル制限に従って１つまたは複数の第２のＣＣの制御チャネルをモニタし得る。いくつかの例では、１つまたは複数の第２のＣＣの制御チャネルをモニタすることは、１つまたは複数の第２のＣＣについての第２の数の制御メッセージ候補をブラインド復号することを含み得、第２の数は、第１および第２の制御チャネル制限に基づく、第１の数未満であり得る。いくつかの例では、ブロック１４１５の動作は、図６を参照しながら説明されたように、制限付きモニタモジュール６１５によって実行され得る。
【０１３０】
[0139]図１５は、本開示の様々な態様による、拡張キャリアアグリゲーションにおけるブラインド復号を低減するための方法１５００を示すフローチャートを示す。方法１５００の動作は、図１〜図１２を参照しながら説明されたようにＵＥ１１５またはそれの構成要素によって実装され得る。たとえば、方法１５００の動作は、図５〜図８を参照しながら説明されたように、ｅＣＡブラインド復号モジュール５１０によって実施され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される機能態様を実施し得る。方法１５００はまた、図１３〜図１４の方法１３００、および１４００の態様を組み込み得る。
【０１３１】
[0140]ブロック１５０５において、ＵＥ１１５は、図２〜図４を参照して説明されたように、ＣＡ構成の複数のＣＣに関連付けられた複数の制御メッセージを受信し得る。いくつかの例では、ブロック１５０５の動作は、図７を参照しながら説明されたように、制御メッセージマネージャ７１５によって実行され得る。
【０１３２】
[0141]ブロック１５１０において、ＵＥ１１５は、複数の制御メッセージからＤＣＩを復号し得、ＤＣＩは、図２〜図４を参照しながら説明されたように、ＰＵＣＣＨフォーマットインジケーションを含み得る。いくつかの例では、ブロック１５１０の動作は、図７を参照しながら説明されたように、ＤＣＩモジュール７２０によって実行され得る。
【０１３３】
[0142]ブロック１５１５において、ＵＥ１１５は、図２〜図４を参照しながら説明されたように、ＰＵＣＣＨフォーマットインジケーションに従って、複数のＣＣのうちの少なくとも１つに対応する制御メッセージを送信し得る。いくつかの例では、ブロック１５１５の動作は、図７を参照しながら説明されたように、ＰＵＣＣＨフォーマットモジュール７２５によって実行され得る。
【０１３４】
[0143]図１６は、本開示の様々な態様による、拡張キャリアアグリゲーションにおけるブラインド復号を低減するための方法１６００を示すフローチャートを示す。方法１６００の動作は、図１〜図１２を参照しながら説明されたようにＵＥ１１５またはそれの構成要素によって実装され得る。たとえば、方法１６００の動作は、図５〜図８を参照しながら説明されたように、ｅＣＡブラインド復号モジュール５１０によって実施され得る。いくつかの例では、ＵＥ１１５は、以下で説明される機能を実施するようにＵＥ１１５の機能要素を制御するためのコードのセットを実行し得る。追加または代替として、ＵＥ１１５は、専用ハードウェアを使用して、以下で説明される機能態様を実施し得る。方法１６００はまた、図１３〜図１５の方法１３００、１４００、および１５００の態様を組み込み得る。
【０１３５】
[0144]ブロック１６０５において、ＵＥ１１５は、図２〜図４を参照して説明されたように、ＣＡ構成の複数のＣＣに関連付けられた複数の制御メッセージを受信し得る。いくつかの例では、ブロック１６０５の動作は、図７を参照しながら説明されたように、制御メッセージマネージャ７１５によって実行され得る。
【０１３６】
[0145]ブロック１６１０において、ＵＥ１１５は、図２〜図４を参照しながら説明されたように、複数の制御メッセージに基づいて、複数のＣＣの各々についてセルインデックスを識別し得る。いくつかの例では、ブロック１６１０の動作は、図７を参照しながら説明されたように、セルインデックスモジュール７３０によって実行され得る。
【０１３７】
[0146]ブロック１６１５において、ＵＥ１１５は、図２〜図４を参照しながら説明されたように、複数のＣＣのうち最も低いセルインデックスを有するＣＣに基づいてＵＣＩを送信し得る。いくつかの例では、ブロック１６１５の動作は、図７を参照しながら説明されたように、ＵＣＩモジュール７３５によって実行され得る。
【０１３８】
[0147]図１７は、本開示の様々な態様による、拡張キャリアアグリゲーションにおけるブラインド復号を低減するための方法１７００を示すフローチャートを示す。方法１７００の動作は、図１〜図１２を参照して説明されたように、基地局１０５またはそれの構成要素によって実施され得る。たとえば、方法１７００の動作は、図９〜図１２を参照しながら説明されたように、基地局ｅＣＡブラインド復号モジュール９１０によって実施され得る。いくつかの例では、基地局１０５は、以下で説明される機能を実施するように基地局１０５の機能要素を制御するためのコードのセットを実行し得る。追加または代替として、基地局１０５は、専用ハードウェアを使用して、以下で説明される機能態様を実施し得る。方法１７００はまた、図１３〜図１６の方法１３００、１４００、１５００、および１６００の態様を組み込み得る。
【０１３９】
[0148]ブロック１７０５において、基地局１０５は、第１の制御チャネル制限に関連付けられた１つまたは複数の第１のＣＣと、第１の制御チャネル制限とは異なる第２の制御チャネル制限に関連付けられた１つまたは複数の第２のＣＣとを含むＣＡ構成でワイヤレスデバイスを構成し得、ここにおいて、図２〜図４を参照して説明されたように、第１の制御チャネル制限もしくは第２の制御チャネル制限、またはその両方は、復号候補制限を備える。いくつかの例では、ブロック１７０５の動作は、図１０を参照しながら説明されたように、ＢＳ  ＣＡ構成モジュール１００５によって実行され得る。
【０１４０】
[0149]ブロック１７１０において、基地局１０５は、図２〜図４を参照して説明されたように、第１の制御チャネル制限に従って１つまたは複数の第１のＣＣの制御チャネルを送信し得る。いくつかの例では、ブロック１７１０の動作は、図１０を参照しながら説明されたように、ＢＳ制御メッセージマネージャ１０１０によって実行され得る。
【０１４１】
[0150]ブロック１７１５において、基地局１０５は、図２〜図４を参照して説明されたように、第２の制御チャネル制限に従って１つまたは複数の第２のＣＣの制御チャネルを送信し得る。いくつかの例では、ブロック１７１５の動作は、図１０を参照しながら説明されたように、制限付き制御チャネルモジュール１０１５によって実行され得る。
【０１４２】
[0151]図１８は、本開示の様々な態様による、拡張キャリアアグリゲーションにおけるブラインド復号を低減するための方法１８００を示すフローチャートを示す。方法１８００の動作は、図１〜図１２を参照して説明されたように、基地局１０５またはそれの構成要素によって実施され得る。たとえば、方法１８００の動作は、図９〜図１２を参照しながら説明されたように、基地局ｅＣＡブラインド復号モジュール９１０によって実施され得る。いくつかの例では、基地局１０５は、以下で説明される機能を実施するように基地局１０５の機能要素を制御するためのコードのセットを実行し得る。追加または代替として、基地局１０５は、専用ハードウェアを使用して、以下で説明される機能態様を実施し得る。方法１８００はまた、図１３〜図１７の方法１３００、１４００、１５００、１６００、および１７００の態様を組み込むことができる。
【０１４３】
[0152]ブロック１８０５において、基地局１０５は、図２〜図４を参照しながら説明されたように、スケジュールされたＣＣの数に基づいてワイヤレスデバイスのＰＵＣＣＨフォーマットを決定し得る。いくつかの例では、ブロック１８０５の動作は、図１０を参照しながら説明されたように、ＢＳ  ＰＵＣＣＨフォーマットモジュール１１０５によって実行され得る。
【０１４４】
[0153]ブロック１８１０において、基地局１０５は、図２〜図４を参照しながら説明されたように、ＰＵＣＣＨフォーマットのインジケーションを含むＤＣＩをワイヤレスデバイスに送信し得る。いくつかの例では、ブロック１８１０の動作は、図１０を参照しながら説明されたように、ＢＳ  ＤＣＩモジュール１１１０によって実行され得る。
【０１４５】
[0154]このようにして、方法１３００、１４００、１５００、１６００、１７００、および１８００は、拡張キャリアアグリゲーションにおけるブラインド復号を低減することを提供し得る。方法１３００、１４００、１５００、１６００、１７００、および１８００は可能な実装形態を表すこと、ならびに動作およびステップは、他の実装形態が可能であるように、並べ替えられるかまたは別の方法で変更され得ることに留意されたい。いくつかの例では、方法１３００、１４００、１５００、１６００、１７００および１８００のうちの２つまたはそれ以上からの態様が組み合わされ得る。
【０１４６】
[0155]本明細書での説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を、省略、置換、または追加し得る。また、いくつかの例に関して説明される特徴は、他の例において組み合わせられ得る。
【０１４７】
[0156]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−ａｄｖａｎｃｅｄ（ＬＴＥ−Ａ）は、Ｅ−ＵＴＲＡを使用するＵｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）の新しいリリースである。ＵＴＲＡ、Ｅ−ＵＴＲＡ、ＵＭＴＳ、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書に記載された技法は、上述されたシステムおよび無線技術ならびに他のシステムおよび無線技術に使用される場合がある。しかしながら、本明細書での説明は、例としてＬＴＥシステムについて説明し、上記の説明の大部分においてＬＴＥ用語が使用されるが、本技法はＬＴＥの適用例以外に適用可能である。
【０１４８】
[0157]本明細書で説明されたそのようなネットワークを含むＬＴＥ／ＬＴＥ−Ａネットワークでは、発展型ノードＢ（ｅＮＢ）という用語は、概して、基地局を表すために使用され得る。本明細書で説明された単一または複数のワイヤレス通信システムは、異なるタイプのｅＮＢが様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを提供し得る。「セル」という用語は、コンテキストに応じて、基地局、基地局に関連付けられたキャリアまたはコンポーネントキャリア、あるいはキャリアまたは基地局のカバレージエリア（たとえば、セクタなど）を表すために使用され得る３ＧＰＰ用語である。
【０１４９】
[0158]基地局は、当業者によって、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれ得る、またはそれらを含み得る。基地局のための地理的カバレージエリアは、カバレージエリアの一部分のみを構成するセクタに分割され得る。本明細書で説明された単一または複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１５０】
[0159]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているＵＥによる無制限アクセスを可能にすることができる。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することができる場合がある。
【０１５１】
[0160]本明細書で説明された単一または複数のワイヤレス通信システムは、同期動作または非同期動作をサポートしてもよい。同期動作の場合、基地局は、同様のフレームタイミングを有し得、異なる基地局からの送信は、近似的に時間的に整合され得る。非同期動作の場合、基地局は、異なるフレームタイミングを有し得、異なる基地局からの送信は、時間的に整合されない場合がある。本明細書で説明する技法は、同期動作または非同期動作のいずれかに対して使用され得る。
【０１５２】
[0161]本明細書で説明されたダウンリンク送信は、順方向リンク送信と呼ばれることもあり、アップリンク送信は、逆方向リンク送信と呼ばれることもある。たとえば、図１および図２のワイヤレス通信システム１００と２００とを含む、本明細書で説明された各通信リンクは、１つまたは複数のキャリアを含み得、各キャリアは、複数のサブキャリア（たとえば、異なる周波数の波形信号）で構成される信号であり得る。各変調信号は、異なるサブキャリア上で送られる場合があり、制御情報（たとえば、基準信号、制御チャネルなど）、オーバーヘッド情報、ユーザデータなどを搬送することができる。本明細書で説明された通信リンク（たとえば、図１の通信リンク１２５）は、（たとえば、対スペクトルリソースを使用する）周波数分割複信（ＦＤＤ）動作、または（たとえば、不対スペクトルリソースを使用する）ＴＤＤ動作を使用して、双方向通信を送信することができる。ＦＤＤ（たとえば、フレーム構造タイプ１）およびＴＤＤ（たとえば、フレーム構造タイプ２）について、フレーム構造が定義される場合がある。
【０１５３】
[0162]添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造とデバイスとをブロック図の形式で示す。
【０１５４】
[0163]添付の図では、同様のコンポーネントまたは特徴は、同一の参照ラベルを有し得る。さらに、同じタイプの様々なコンポーネントが、参照ラベルの後に、ダッシュと、同様のコンポーネントを区別する第２のラベルとを続けることによって区別され得る。第１の参照ラベルだけが本明細書において使用される場合、その説明は、第２の参照ラベルにかかわらず、同じ第１の参照ラベルを有する同様のコンポーネントのいずれにも適用可能である。
【０１５５】
[0164]本明細書で説明された情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１５６】
[0165]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つもしくは複数のマイクロプロセッサ、または任意の他のそのような構成）として実装され得る。
【０１５７】
[0166]本明細書で説明する機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的位置において機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１５８】
[0167]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【０１５９】
[0168]本明細書での説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信の方法であって、
第１の制御チャネル制限に関連付けられた１つまたは複数の第１のコンポーネントキャリア（ＣＣ）と、前記第１の制御チャネル制限とは異なる第２の制御チャネル制限に関連付けられた１つまたは複数の第２のＣＣとを備えるキャリアアグリゲーション（ＣＡ）構成を受信すること、ここにおいて、前記第１の制御チャネル制限もしくは前記第２の制御チャネル制限、またはその両方は、復号候補制限を備える、と、
前記第１の制御チャネル制限に従って前記１つまたは複数の第１のＣＣの制御チャネルをモニタすることと、
前記第２の制御チャネル制限に従って前記１つまたは複数の第２のＣＣの制御チャネルをモニタすることと
を備える、方法。
［Ｃ２］
前記第１の制御チャネル制限もしくは前記第２の制御チャネル制限、またはその両方は、限られた数のアグリゲーションレベル、限られた組の制御情報フォーマット、チャネル状態情報（ＣＳＩ）制限、制御領域制限、ダウンリンク（ＤＬ）送信モード制限もしくはアップリンク（ＵＬ）送信モード制限、またはそれらの任意の組合せを備える、
［Ｃ１］に記載の方法。
［Ｃ３］
前記１つまたは複数の第１のＣＣの前記制御チャネルをモニタすることは、
前記１つまたは複数の第１のＣＣについての第１の数の制御メッセージ候補をブラインド復号することを備え、
前記１つまたは複数の第２のＣＣの前記制御チャネルをモニタすることは、前記１つまたは複数の第２のＣＣについての第２の数の制御メッセージ候補をブラインド復号することを備え、前記第２の数は、前記第１および第２の制御チャネル制限に少なくとも部分的に基づく、前記第１の数未満である、
［Ｃ１］に記載の方法。
［Ｃ４］
前記１つまたは複数の第１のＣＣは、物理ダウンリンク制御チャネル（ＰＤＣＣＨ）構成に関連付けられ、前記１つまたは複数の第２のＣＣは、ＰＤＣＣＨ構成または拡張物理ダウンリンク制御チャネル（ｅＰＤＣＣＨ）構成のうちの一方に関連付けられる、
［Ｃ１］に記載の方法。
［Ｃ５］
前記１つまたは複数の第１のＣＣおよび前記第２のＣＣは、ｅＰＤＣＣＨ  ＣＣの数の制限に少なくとも部分的に基づいてグループ化される、
［Ｃ４］に記載の方法。
［Ｃ６］
前記１つまたは複数の第１のＣＣの前記制御チャネルをモニタすることに少なくとも部分的に基づいて、制御メッセージを復号することをさらに備え、前記第２の制御チャネル制限は、前記制御メッセージに少なくとも部分的に基づく、
［Ｃ４］に記載の方法。
［Ｃ７］
前記１つまたは複数の第２のＣＣの前記制御チャネルをモニタする前に、制御メッセージを復号することをさらに備え、前記第２の制御チャネル制限は、前記制御メッセージに少なくとも部分的に基づく、
［Ｃ４］に記載の方法。
［Ｃ８］
前記１つまたは複数の第２のＣＣの前記制御チャネルをモニタすることに少なくとも部分的に基づいて、制御メッセージを復号することをさらに備え、前記制御メッセージは、データフィールド内の制限されたデータ割振りに少なくとも部分的に基づく仮想巡回冗長検査（ＣＲＣ）を備える、
［Ｃ１］に記載の方法。
［Ｃ９］
前記第２の制御チャネル制限は、５つより多くのＣＣを備えるＣＡ構成に少なくとも部分的に基づく、
［Ｃ１］に記載の方法。
［Ｃ１０］
前記ＣＡ構成の複数のＣＣに関連付けられた複数の制御メッセージを受信することと、
前記複数の制御メッセージからダウンリンク制御情報（ＤＣＩ）を復号すること、ここにおいて、前記ＤＣＩは、物理アップリンク制御チャネル（ＰＵＣＣＨ）フォーマットインジケーションを備える、と、
前記ＰＵＣＣＨフォーマットインジケーションに従って前記複数のＣＣのうちの少なくとも１つに対応する制御メッセージを送信することと
をさらに備える、［Ｃ１］に記載の方法。
［Ｃ１１］
前記ＰＵＣＣＨフォーマットインジケーションは、５つより多くのＣＣを備える前記複数のＣＣに少なくとも部分的に基づく、
［Ｃ１０］に記載の方法。
［Ｃ１２］
ワイヤレス通信の方法であって、
第１の制御チャネル制限に関連付けられた１つまたは複数の第１のＣＣと、前記第１の制御チャネル制限とは異なる第２の制御チャネル制限に関連付けられた１つまたは複数の第２のＣＣとを備えるＣＡ構成でワイヤレスデバイスを構成すること、ここにおいて、前記第１の制御チャネル制限もしくは前記第２の制御チャネル制限、またはその両方は、復号候補制限を備える、と、
前記第１の制御チャネル制限に従って前記１つまたは複数の第１のＣＣの制御チャネルを送信することと、
前記第２の制御チャネル制限に従って前記１つまたは複数の第２のＣＣの制御チャネルを送信することと
を備える、方法。
［Ｃ１３］
前記第１の制御チャネル制限もしくは前記第２の制御チャネル制限、またはその両方は、限られた数のアグリゲーションレベル、限られた組の制御情報フォーマット、ＣＳＩ制限、制御領域制限、ＤＬ送信モード制限もしくはアップリンク（ＵＬ）送信モード制限、またはそれらの任意の組合せを備える、
［Ｃ１２］に記載の方法。
［Ｃ１４］
前記１つまたは複数の第１のＣＣは、ＰＤＣＣＨ構成に関連付けられ、前記１つまたは複数の第２のＣＣは、ＰＤＣＣＨ構成またはｅＰＤＣＣＨ構成のうちの一方に関連付けられる、
［Ｃ１２］に記載の方法。
［Ｃ１５］
前記１つまたは複数の第１のＣＣおよび前記第２のＣＣは、ｅＰＤＣＣＨ  ＣＣの数の制限に少なくとも部分的に基づいてグループ化される、
［Ｃ１２］に記載の方法。
［Ｃ１６］
ワイヤレス通信のための装置であって、
第１の制御チャネル制限に関連付けられた１つまたは複数の第１のＣＣと、前記第１の制御チャネル制限とは異なる第２の制御チャネル制限に関連付けられた１つまたは複数の第２のＣＣとを備えるキャリアアグリゲーション（ＣＡ）構成を受信するための手段、ここにおいて、前記第１の制御チャネル制限もしくは前記第２の制御チャネル制限、またはその両方は、復号候補制限を備える、と、
前記第１の制御チャネル制限に従って前記１つまたは複数の第１のＣＣの制御チャネルをモニタするための手段と、
前記第２の制御チャネル制限に従って前記１つまたは複数の第２のＣＣの制御チャネルをモニタするための手段と
を備える、装置。
［Ｃ１７］
前記第１の制御チャネル制限もしくは前記第２の制御チャネル制限、またはその両方は、限られた数のアグリゲーションレベル、限られた組の制御情報フォーマット、チャネル状態情報（ＣＳＩ）制限、制御領域制限、ダウンリンク（ＤＬ）送信モード制限もしくはアップリンク（ＵＬ）送信モード制限、またはそれらの任意の組合せを備える、
［Ｃ１６］に記載の装置。
［Ｃ１８］
前記１つまたは複数の第１のＣＣについての第１の数の制御メッセージ候補をブラインド復号するための手段と、
前記１つまたは複数の第２のＣＣについての第２の数の制御メッセージ候補をブラインド復号するための手段、ここにおいて、前記第２の数は、前記第１および第２の制御チャネル制限に少なくとも部分的に基づく、前記第１の数未満である、と、
をさらに備える、［Ｃ１６］に記載の装置。
［Ｃ１９］
前記１つまたは複数の第１のＣＣは、物理ダウンリンク制御チャネル（ＰＤＣＣＨ）構成に関連付けられ、前記１つまたは複数の第２のＣＣは、ＰＤＣＣＨ構成または拡張物理ダウンリンク制御チャネル（ｅＰＤＣＣＨ）構成のうちの一方に関連付けられる、
［Ｃ１６］に記載の装置。
［Ｃ２０］
前記１つまたは複数の第１のＣＣおよび前記第２のＣＣは、ｅＰＤＣＣＨ  ＣＣの数の制限に少なくとも部分的に基づいてグループ化される、
［Ｃ１９］に記載の装置。
［Ｃ２１］
前記１つまたは複数の第１のＣＣの前記制御チャネルをモニタすることに少なくとも部分的に基づいて、制御メッセージを復号するための手段をさらに備え、前記第２の制御チャネル制限は、前記制御メッセージに少なくとも部分的に基づく、
［Ｃ１９］に記載の装置。
［Ｃ２２］
前記１つまたは複数の第２のＣＣの前記制御チャネルをモニタする前に、制御メッセージを復号するための手段をさらに備え、前記第２の制御チャネル制限は、前記制御メッセージに少なくとも部分的に基づく、
［Ｃ１９］に記載の装置。
［Ｃ２３］
前記１つまたは複数の第２のＣＣの前記制御チャネルをモニタすることに少なくとも部分的に基づいて、制御メッセージを復号するための手段をさらに備え、前記制御メッセージは、データフィールド内の制限されたデータ割振りに少なくとも部分的に基づく仮想巡回冗長検査（ＣＲＣ）を備える、
［Ｃ１６］に記載の装置。
［Ｃ２４］
前記第２の制御チャネル制限は、５つより多くのＣＣを備えるＣＡ構成に少なくとも部分的に基づく、
［Ｃ１６］に記載の装置。
［Ｃ２５］
前記ＣＡ構成の複数のＣＣに関連付けられた複数の制御メッセージを受信するための手段と、
前記複数の制御メッセージからダウンリンク制御情報（ＤＣＩ）を復号するための手段、ここにおいて、前記ＤＣＩは、物理アップリンク制御チャネル（ＰＵＣＣＨ）フォーマットインジケーションを備える、と、
前記ＰＵＣＣＨフォーマットインジケーションに従って前記複数のＣＣのうちの少なくとも１つに対応する制御メッセージを送信するための手段と
をさらに備える、［Ｃ１６］に記載の装置。
［Ｃ２６］
前記ＰＵＣＣＨフォーマットインジケーションは、５つより多くのＣＣを備える前記複数のＣＣに少なくとも部分的に基づく、
［Ｃ２５］に記載の装置。
［Ｃ２７］
ワイヤレス通信のための装置であって、
第１の制御チャネル制限に関連付けられた１つまたは複数の第１のＣＣと、前記第１の制御チャネル制限とは異なる第２の制御チャネル制限に関連付けられた１つまたは複数の第２のＣＣとを備えるＣＡ構成でワイヤレスデバイスを構成するための手段、ここにおいて、前記第１の制御チャネル制限もしくは前記第２の制御チャネル制限、またはその両方は、復号候補制限を備える、と、
前記第１の制御チャネル制限に従って前記１つまたは複数の第１のＣＣの制御チャネルを送信するための手段と、
前記第２の制御チャネル制限に従って前記１つまたは複数の第２のＣＣの制御チャネルを送信するための手段と
を備える、装置。
［Ｃ２８］
前記第１の制御チャネル制限もしくは前記第２の制御チャネル制限、またはその両方は、限られた数のアグリゲーションレベル、限られた組の制御情報フォーマット、ＣＳＩ制限、制御領域制限、ＤＬ送信モード制限もしくはアップリンク（ＵＬ）送信モード制限、またはそれらの任意の組合せを備える、
［Ｃ２７］に記載の装置。
［Ｃ２９］
前記１つまたは複数の第１のＣＣは、ＰＤＣＣＨ構成に関連付けられ、前記１つまたは複数の第２のＣＣは、ＰＤＣＣＨ構成またはｅＰＤＣＣＨ構成のうちの一方に関連付けられる、
［Ｃ２７］に記載の装置。
［Ｃ３０］
前記第２の制御チャネル制限に少なくとも部分的に基づいて、制御メッセージを送信するための手段をさらに備え、前記制御メッセージは、データフィールド内の制限されたデータ割振りに少なくとも部分的に基づく仮想ＣＲＣを備える、
［Ｃ２７］に記載の装置。
【図１】
0006766064.tif 000002
【図２】
0006766064.tif 000003
【図３Ａ】
0006766064.tif 000004
【図３Ｂ】
0006766064.tif 000005
【図４】
0006766064.tif 000006
【図５】
0006766064.tif 000007
【図６】
0006766064.tif 000008
【図７】
0006766064.tif 000009
【図８】
0006766064.tif 000010
【図９】
0006766064.tif 000011
【図１０】
0006766064.tif 000012
【図１１】
0006766064.tif 000013
【図１２】
0006766064.tif 000014
【図１３】
0006766064.tif 000015
【図１４】
0006766064.tif 000016
【図１５】
0006766064.tif 000017
【図１６】
0006766064.tif 000018
【図１７】
0006766064.tif 000019
【図１８】
0006766064.tif 000020